(57)【要約】本発明では、多重アンテナ無線通信システムにおいて再伝送時に端末が参照信号を伝送する方法が開示される。具体的に、基地局から上りリンクグラントを受信することと、前記上りリンクグラントに基づいて、それぞれのレイヤ（ｌａｙｅｒ）に対応する参照信号及びデータを初期伝送することと、前記データのＡＣＫ（Ａｃｋｎｏｗｌｅｄｇｅｍｅｎｔ）／ＮＡＣＫ（Ｎｅｇａｔｉｖｅ−ＡＣＫ）情報を受信して、前記参照信号及びデータを再伝送することと、を含み、前記再伝送することは、前記上りリンクグラントに含まれた参照信号のためのサイクリックシフトフィールド（Ｃｙｃｌｉｃ  Ｓｈｉｆｔ  Ｆｉｅｌｄ）に基づいて、前記それぞれのレイヤに対応する参照信号のサイクリックシフト値（Ｃｙｃｌｉｃ  Ｓｈｉｆｔ  Ｖａｌｕｅ）を初期化することを含む。【選択図】図１０
2013535857.tif 000002
【特許請求の範囲】
【請求項１】
多重アンテナ無線通信システムにおいて再伝送時に端末が参照信号を伝送する方法であって、
基地局から上りリンクグラントを受信することと、
前記上りリンクグラントに基づいて、それぞれのレイヤに対応する参照信号及びデータを初期伝送することと、
前記データのＡＣＫ（Ａｃｋｎｏｗｌｅｄｇｅｍｅｎｔ）／ＮＡＣＫ（Ｎｅｇａｔｉｖｅ−ＡＣＫ）情報を受信して、前記参照信号及びデータを再伝送することと、を含み、
前記再伝送することは、
前記上りリンクグラントに含まれた参照信号のためのサイクリックシフトフィールド（Ｃｙｃｌｉｃ  Ｓｈｉｆｔ  Ｆｉｅｌｄ）に基づいて、前記それぞれのレイヤに対応する参照信号のサイクリックシフト値（Ｃｙｃｌｉｃ  Ｓｈｉｆｔ  Ｖａｌｕｅ）を初期化することを含む、再伝送時の参照信号伝送方法。
【請求項２】
前記再伝送することは、
前記上りリンクグラントに含まれた参照信号のためのサイクリックシフトフィールド（Ｃｙｃｌｉｃ  Ｓｈｉｆｔ  Ｆｉｅｌｄ）に基づいて、前記それぞれのレイヤに対応する参照信号のＯＣＣ（Ｏｒｔｈｏｇｏｎａｌ  Ｃｏｄｅ  Ｃｏｖｅｒ）値を初期化することを含む、請求項１に記載の再伝送時の参照信号伝送方法。
【請求項３】
前記それぞれのレイヤ（ｌａｙｅｒ）に対応する参照信号は、
それぞれの参照信号に割り当てられるサイクリックシフト値が最大の間隔を有することを特徴とする、請求項１に記載の再伝送時の参照信号伝送方法。
【請求項４】
前記サイクリックシフト値は、０乃至１１の値を有し、
前記サイクリックシフト値の最大の間隔は、６であることを特徴とする、請求項１に記載の再伝送時の参照信号伝送方法。
【請求項５】
前記それぞれのレイヤに対応する参照信号のサイクリックシフト値は、
前記サイクリックシフトフィールドによって指示されるサイクリックシフト初期値及びそれぞれのレイヤに対応する既に設定されたオフセット値で定義されることを特徴とする、請求項１に記載の再伝送時の参照信号伝送方法。
【請求項６】
多重アンテナ無線通信システムにおける端末装置であって、
基地局から上りリンクグラントを受信する受信モジュールと、
前記上りリンクグラントに基づいて、それぞれのレイヤ（ｌａｙｅｒ）に対応する参照信号及びデータを構成し、前記データのＡＣＫ（Ａｃｋｎｏｗｌｅｄｇｅｍｅｎｔ）／ＮＡＣＫ（Ｎｅｇａｔｉｖｅ−ＡＣＫ）情報に基づいて再伝送のための前記参照信号及びデータを構成するプロセッサと、
前記参照信号及びデータを前記基地局に伝送または再伝送する送信モジュールと、を備える、
前記プロセッサは、
前記上りリンクグラントに含まれた参照信号のためのサイクリックシフトフィールド（Ｃｙｃｌｉｃ  Ｓｈｉｆｔ  Ｆｉｅｌｄ）に基づいて、前記それぞれのレイヤに対応する参照信号のサイクリックシフト値（Ｃｙｃｌｉｃ  Ｓｈｉｆｔ  Ｖａｌｕｅ）を初期化することを特徴とする、端末装置。
【請求項７】
前記プロセッサは、
前記上りリンクグラントに含まれた参照信号のためのサイクリックシフトフィールド（Ｃｙｃｌｉｃ  Ｓｈｉｆｔ  Ｆｉｅｌｄ）に基づいて、前記それぞれのレイヤに対応する参照信号のＯＣＣ（Ｏｒｔｈｏｇｏｎａｌ  Ｃｏｄｅ  Ｃｏｖｅｒ）値を初期化することを特徴とする、請求項６に記載の端末装置。
【請求項８】
前記それぞれのレイヤ（ｌａｙｅｒ）に対応する参照信号は、
それぞれの参照信号に割り当てられるサイクリックシフト値が最大の間隔を有することを特徴とする、請求項６に記載の端末装置。
【請求項９】
前記サイクリックシフト値は、０乃至１１の値を有し、
前記サイクリックシフト値の最大の間隔は、６であることを特徴とする、請求項６に記載の端末装置。
【請求項１０】
前記それぞれのレイヤに対応する参照信号のサイクリックシフト値は、
前記サイクリックシフトフィールドによって指示されるサイクリックシフト初期値及びそれぞれのレイヤに対応する既に設定されたオフセット値で定義されることを特徴とする、請求項６に記載の端末装置。
【発明の詳細な説明】
【技術分野】
【０００１】
本発明は、無線通信システムに関する。特に、無線通信システムにおいて端末が上りリンク参照信号を基地局に送信する方法及びそのための装置に関する。
【背景技術】
【０００２】
本発明を適用できる無線通信システムの一例として、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という。）通信システムについて概略的に説明する。
【０００３】
図１は、無線通信システムの一例として、Ｅ−ＵＭＴＳネットワーク構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進展したシステムで、現在、３ＧＰＰで基礎的な標準化作業が進行中である。一般に、Ｅ−ＵＭＴＳは、ＬＴＥ（Ｌｏｎｇ  Ｔｅｒｍ  Ｅｖｏｌｕｔｉｏｎ）システムとも呼ばれている。ＵＭＴＳ及びＥ−ＵＭＴＳの技術規格（ｔｅｃｈｎｉｃａｌ  ｓｐｅｃｉｆｉｃａｔｉｏｎ）の詳細な内容はそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ  ７及びＲｅｌｅａｓｅ  ８を参照すればよい。
【０００４】
図１を参照すると、Ｅ−ＵＭＴＳは、端末（Ｕｓｅｒ  Ｅｑｕｉｐｍｅｎｔ；ＵＥ）１２０、基地局（ｅＮｏｄｅ  Ｂ；ｅＮＢ）１１０ａ及び１１０ｂ、及びネットワーク（Ｅ−ＵＴＲＡＮ）の終端に位置して外部ネットワークと接続する接続ゲートウェイ（Ａｃｃｅｓｓ  Ｇａｔｅｗａｙ；ＡＧ）を含んでいる。基地局は、ブロードキャストサービス、マルチキャストサービス及び／またはユニキャストサービスのために多重データストリームを同時に伝送することができる。
【０００５】
一つの基地局には一つ以上のセルが存在する。セルは、１．２５、２．５、５、１０、１５、２０ＭＨｚなどの帯域幅のいずれか一つに設定され、複数の端末に下りまたは上り伝送サービスを提供する。互いに異なるセルは、互いに異なる帯域幅を提供するように設定することができる。基地局は、複数の端末へのデータ送受信を制御する。下りリンク（Ｄｏｗｎｌｉｎｋ；ＤＬ）データについて、基地局は、下りリンクスケジューリング情報を伝送して、該当の端末にデータの伝送される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ；ＵＬ）データについて、基地局は、上りリンクスケジューリング情報を該当の端末に伝送し、該当の端末が使用可能な時間／周波数領域、符号化、データサイズ、ＨＡＲＱ関連情報などを知らせる。基地局同士の間には、ユーザートラフィックまたは制御トラフィック伝送のためのインターフェースを用いることができる。コアネットワーク（Ｃｏｒｅ  Ｎｅｔｗｏｒｋ；ＣＮ）は、ＡＧ、及び端末のユーザー登録などのためのネットワークノードなどで構成することができる。ＡＧは、複数のセルで構成されるＴＡ（Ｔｒａｃｋｉｎｇ  Ａｒｅａ）単位に端末の移動性を管理する。
【０００６】
無線通信技術は、ＷＣＤＭＡに基づいてＬＴＥまで開発されてきたが、ユーザーと事業者の要求及び期待は増す一方である。その上、他の無線接続技術の開発も相次いでいるため、将来、競争力を持つためには新しい技術進化が要求される。ビット当たりのコストの削減、サービス可用性の増大、融通性ある周波数バンドの使用、単純構造と開放型インターフェース、端末の適度なパワー消耗などが要求される。
【０００７】
近年、３ＧＰＰは、ＬＴＥの後続技術に対する標準化作業を進行している。該技術を、本明細書では「ＬＴＥ−Ａｄｖａｎｃｅｄ」または「ＬＴＥ−Ａ」と称する。ＬＴＥ−ＡシステムがＬＴＥシステムと異なる主な点としては、多重アンテナ手法を用いて上りリンク伝送を支援するという点が挙げられる。
【発明の概要】
【発明が解決しようとする課題】
【０００８】
本発明の目的は、多重アンテナ無線通信システムにおいて上りリンク参照信号の送信方法及びそのための装置を提供することにある。
【０００９】
本発明で得られる効果は、以上に言及した効果に制限されず、言及していない別の効果は、下の記載から、本発明の属する技術の分野における通常の知識を有する者には明確に理解されるであろう。
【課題を解決するための手段】
【００１０】
本発明の一様相である、多重アンテナ無線通信システムにおいて再伝送時に端末が参照信号を伝送する方法は、基地局から上りリンクグラントを受信することと、前記上りリンクグラントに基づいて、それぞれのレイヤ（ｌａｙｅｒ）に対応する参照信号及びデータを初期伝送することと、前記データのＡＣＫ（Ａｃｋｎｏｗｌｅｄｇｅｍｅｎｔ）／ＮＡＣＫ（Ｎｅｇａｔｉｖｅ−ＡＣＫ）情報を受信して、前記参照信号及びデータを再伝送することと、を含み、前記再伝送することは、前記上りリンクグラントに含まれた参照信号のためのサイクリックシフトフィールド（Ｃｙｃｌｉｃ  Ｓｈｉｆｔ  Ｆｉｅｌｄ）に基づいて、前記それぞれのレイヤに対応する参照信号のサイクリックシフト値（Ｃｙｃｌｉｃ  Ｓｈｉｆｔ  Ｖａｌｕｅ）を初期化することを含む。
【００１１】
また、前記再伝送することは、前記上りリンクグラントに含まれた参照信号のためのサイクリックシフトフィールド（Ｃｙｃｌｉｃ  Ｓｈｉｆｔ  Ｆｉｅｌｄ）に基づいて、前記それぞれのレイヤに対応する参照信号のＯＣＣ（Ｏｒｔｈｏｇｏｎａｌ  Ｃｏｄｅ  Ｃｏｖｅｒ）値を初期化することを含むことを特徴とする。
【００１２】
一方、本発明の他の様相である、多重アンテナ無線通信システムにおける端末装置は、基地局から上りリンクグラントを受信する受信モジュールと、前記上りリンクグラントに基づいて、それぞれのレイヤ（ｌａｙｅｒ）に対応する参照信号及びデータを構成し、前記データのＡＣＫ（Ａｃｋｎｏｗｌｅｄｇｅｍｅｎｔ）／ＮＡＣＫ（Ｎｅｇａｔｉｖｅ−ＡＣＫ）情報に基づいて再伝送のための前記参照信号及びデータを構成するプロセッサと、前記参照信号及びデータを前記基地局に伝送または再伝送する送信モジュールと、を備え、前記プロセッサは、前記上りリンクグラントに含まれた参照信号のためのサイクリックシフトフィールド（Ｃｙｃｌｉｃ  Ｓｈｉｆｔ  Ｆｉｅｌｄ）に基づいて、前記それぞれのレイヤに対応する参照信号のサイクリックシフト値（Ｃｙｃｌｉｃ  Ｓｈｉｆｔ  Ｖａｌｕｅ）を初期化することを特徴とする。
【００１３】
また、前記プロセッサは、前記上りリンクグラントに含まれた参照信号のためのサイクリックシフトフィールド（Ｃｙｃｌｉｃ  Ｓｈｉｆｔ  Ｆｉｅｌｄ）に基づいて、前記それぞれのレイヤに対応する参照信号のＯＣＣ（Ｏｒｔｈｏｇｏｎａｌ  Ｃｏｄｅ  Ｃｏｖｅｒ）値を初期化することを特徴とする。
【００１４】
一方、上記の本発明の様相において、前記それぞれのレイヤ（ｌａｙｅｒ）に対応する参照信号は、それぞれの参照信号に割り当てられるサイクリックシフト値が最大の間隔を有することを特徴とし、前記サイクリックシフト値は０乃至１０の値を有し、前記サイクリックシフト値の最大の間隔は６であることを特徴とする。
【００１５】
なお、上記の本発明の様相において、前記それぞれのレイヤに対応する参照信号のサイクリックシフト値が、前記サイクリックシフトフィールドによって指示されるサイクリックシフト初期値及びそれぞれのレイヤに対応する既に設定されたオフセット値で定義されることを特徴とする。
【発明の効果】
【００１６】
本発明の実施例によれば、無線通信システムにおいて端末が基地局に上りリンク参照信号を效果的に送信することが可能になる。
【００１７】
本発明で得られる効果は、以上で言及した効果に制限されず、言及していない他の効果は、下の記載から、本発明の属する技術の分野における通常の知識を有する者には明確に理解されるであろう。
【図面の簡単な説明】
【００１８】
【図１】移動通信システムの一例としてＥ−ＵＭＴＳネットワーク構造を概略的に示す図である。
【図２】３ＧＰＰ無線接続ネットワーク規格に基づく端末とＥ−ＵＴＲＡＮ間の無線インターフェースプロトコル（Ｒａｄｉｏ  Ｉｎｔｅｒｆａｃｅ  Ｐｒｏｔｏｃｏｌ）の制御プレーン（Ｃｏｎｔｒｏｌ  Ｐｌａｎｅ）及びユーザープレーン（Ｕｓｅｒ  Ｐｌａｎｅ）の構造を示す図である。
【図３】３ＧＰＰシステムに用いられる物理チャネル及びこれらのチャネルを用いた一般的な信号伝送方法を説明するための図である。
【図４】ＬＴＥシステムで用いられる無線フレームの構造を例示する図である。
【図５】ＬＴＥシステムで用いられる上りリンクサブフレームの一構造を示す図である。
【図６】ＬＴＥシステムで用いられる上りリンクサブフレームの他の構造を示す図である。
【図７】ＤＭ  ＲＳを伝送するための信号処理過程を説明するための図である。
【図８】一般ＣＰ（ｎｏｒｍａｌ  ｃｙｃｌｉｃ  ｐｒｅｆｉｘ）の場合にＤＭ  ＲＳを伝送するためのサブフレームの構造を示す図である。
【図９】拡張ＣＰ（ｅｘｔｅｎｄｅｄ  ｃｙｃｌｉｃ  ｐｒｅｆｉｘ  ）の場合に、ＤＭ  ＲＳを伝送するためのサブフレームの構造を示す図である。
【図１０】本発明で説明する多重アンテナ通信システムの構成図である。
【図１１】上りリンク共有チャネルに対する伝送チャネルの処理過程を説明するブロック図である。
【図１２】上りリンクデータと制御チャネル伝送のための物理リソースとのマッピング（ｍａｐｐｉｎｇ）方法を説明するための図である。
【図１３】上りリンク共有チャネル上でデータ及び制御チャネルを效率的に多重化する方法を説明するフローチャートである。
【図１４】データ及び制御チャネルの伝送信号を生成する方法を説明するブロック図である。
【図１５】コードワード対レイヤマッピング方法を説明する図である。
【図１６】本発明の実施例に係る通信送受信機のブロック構成図である。
【発明を実施するための形態】
【００１９】
以下に添付の図面を参照して説明された本発明の実施例から、本発明の構成、作用及び他の特徴が容易に理解されるであろう。以下に説明される実施例は、本発明の技術的特徴が３ＧＰＰシステムに適用される例とする。
【００２０】
以下、システム帯域が単一周波数ブロックを用いるシステムをレガシーシステム（ｌｅｇａｃｙ  ｓｙｓｔｅｍ）または狭帯域システム（ｎａｒｒｏｗｂａｎｄ  ｓｙｓｔｅｍ）と呼ぶ。これに対応して、システム帯域が複数の周波数ブロックを含んでおり、少なくとも一つの周波数ブロックをレガシーシステムのシステムブロックして用いるシステムを、進展したシステム（ｅｖｏｌｖｅｄ  ｓｙｓｔｅｍ）または広帯域システム（ｗｉｄｅｂａｎｄ  ｓｙｓｔｅｍ）と呼ぶ。レガシーシステムブロックとして用いられる周波数ブロックは、レガシーシステムのシステムブロックと同じサイズを有するが、残りの周波数ブロックのサイズは特に制限されない。しかし、システムの単純化のために、残りの周波数ブロックのサイズもレガシーシステムのシステムブロックサイズに基づいて決定されてもよい。一例として、３ＧＰＰＬＴＥシステムと３ＧＰＰ  ＬＴＥ−Ａシステムとは、レガシーシステムと進展したシステムとの関係にある。
【００２１】
上記の定義に基づいて、本明細書で３ＧＰＰ  ＬＴＥシステムを、ＬＴＥシステムまたはレガシーシステムと呼ぶ。また、ＬＴＥシステムを支援する端末をＬＴＥ端末またはレガシー端末と呼ぶ。これに対応して、３ＧＰＰ  ＬＴＥ−ＡシステムをＬＴＥ−Ａシステムまたは進展したシステムと呼ぶ。また、ＬＴＥ−Ａシステムを支援する端末を、ＬＴＥ−Ａ端末または進展した端末と呼ぶ。
【００２２】
便宜上、本明細書は、ＬＴＥシステム及びＬＴＥ−Ａシステムを用いて本発明の実施例を説明するが、それは例示であり、本発明の実施例は、上記の定義に該当するいかなる通信システムにも適用可能である。また、本明細書は、ＦＤＤ方式を基準にして本発明の実施例について説明するが、それは例示に過ぎず、本発明の実施例は、Ｈ−ＦＤＤ方式またはＴＤＤ方式にも容易に変形して適用されてもよい。
【００２３】
図２は、３ＧＰＰ無線接続ネットワーク規格に基づく端末とＥ−ＵＴＲＡＮ間の無線インターフェースプロトコル（Ｒａｄｉｏ  Ｉｎｔｅｒｆａｃｅ  Ｐｒｏｔｏｃｏｌ）の制御プレーン（Ｃｏｎｔｒｏｌ  Ｐｌａｎｅ）及びユーザープレーン（Ｕｓｅｒ  Ｐｌａｎｅ）の構造を示す図である。制御プレーンは、端末（Ｕｓｅｒ  Ｅｑｕｉｐｍｅｎｔ；ＵＥ）とネットワークが呼を管理するために用いる制御メッセージが伝送される通路のことを意味する。ユーザープレーンは、アプリケーション層で生成されたデータ、例えば、音声データまたはインターネットパケットデータなどが伝送される通路のことを意味する。
【００２４】
第１の層である物理層は、物理チャネル（Ｐｈｙｓｉｃａｌ  Ｃｈａｎｎｅｌ）を用いて上位層に情報伝送サービス（Ｉｎｆｏｒｍａｔｉｏｎ  Ｔｒａｎｓｆｅｒ  Ｓｅｒｖｉｃｅ）を提供する。物理層は、上位にある媒体接続制御（Ｍｅｄｉｕｍ  Ａｃｃｅｓｓ  Ｃｏｎｔｒｏｌ）層とは伝送チャネル（Ｔｒａｎｓｐｏｒｔ  Ｃｈａｎｎｅｌ）を介して接続している。該伝送チャネルを通じて媒体接続制御層と物理層との間にデータが移動する。送信側の物理層と受信側の物理層との間には物理チャネルを通じてデータが移動する。該物理チャネルは時間及び周波数を無線リソースとする。特に、物理チャネルは、下りリンクにおいてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクにおいてＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００２５】
第２の層における媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を通じて上位層である無線リンク制御（Ｒａｄｉｏ  Ｌｉｎｋ  Ｃｏｎｔｒｏｌ；ＲＬＣ）層にサービスを提供する。第２の層のＲＬＣ層は、信頼性あるデータ伝送を支援する。ＲＬＣ層の機能は、ＭＡＣ内部の機能ブロックで具現されてもよい。第２の層におけるＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースにおいてＩＰｖ４やＩＰｖ６のようなＩＰパケットを效率的に伝送するために、不要な制御情報を減らすヘッダー圧縮（Ｈｅａｄｅｒ  Ｃｏｍｐｒｅｓｓｉｏｎ）機能を実行する。
【００２６】
第３の層の最下部に位置している無線リソース制御（Ｒａｄｉｏ  Ｒｅｓｏｕｒｃｅ  Ｃｏｎｔｒｏｌ；ＲＲＣ）層は、制御プレーンでのみ定義される。ＲＲＣ層は、無線ベアラ（Ｒａｄｉｏ  Ｂｅａｒｅｒ；ＲＢ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）と関連して論理チャネル、伝送チャネル及び物理チャネルの制御を担当する。ＲＢとは、端末とネットワークとの間におけるデータ伝達のために第２の層により提供されるサービスのことを意味する。そのために、端末及びネットワークのＲＲＣ層は互いにＲＲＣメッセージを交換する。端末のＲＲＣ及びネットワークのＲＲＣ層の間にＲＲＣ接続（ＲＲＣ  Ｃｏｎｎｅｃｔｅｄ）がある場合に、端末は、ＲＲＣ接続状態（Ｃｏｎｎｅｃｔｅｄ  Ｍｏｄｅ）にあり、そうでないと、ＲＲＣ休止状態（Ｉｄｌｅ  Ｍｏｄｅ）にある。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を担当する。
【００２７】
基地局（ｅＮＢ）を構成する一つのセルは、１．２５、２．５、５、１０、１５、２０ＭＨｚなどの帯域幅のいずれか一つに設定されて、複数の端末に下りリンクまたは上りリンク伝送サービスを提供する。それぞれ異なるセルは、互いに異なる帯域幅を提供するように設定することができる。
【００２８】
ネットワークから端末にデータを伝送する下り伝送チャネルは、システム情報を伝送するＢＣＨ（Ｂｒｏａｄｃａｓｔ  Ｃｈａｎｎｅｌ）、ページングメッセージを伝送するＰＣＨ（Ｐａｇｉｎｇ  Ｃｈａｎｎｅｌ）、ユーザートラフィックや制御メッセージを伝送する下りＳＣＨ（Ｓｈａｒｅｄ  Ｃｈａｎｎｅｌ）などがある。下りマルチキャストまたは放送サービスのトラフィックまたは制御メッセージは、下りＳＣＨを通じて伝送されてもよく、または、別の下りＭＣＨ（Ｍｕｌｔｉｃａｓｔ  Ｃｈａｎｎｅｌ）を通じて伝送されてもよい。一方、端末からネットワークにデータを伝送する上り伝送チャネルには、初期制御メッセージを伝送するＲＡＣＨ（Ｒａｎｄｏｍ  Ａｃｃｅｓｓ  Ｃｈａｎｎｅｌ）、ユーザートラフィックや制御メッセージを伝送する上りＳＣＨ（Ｓｈａｒｅｄ  Ｃｈａｎｎｅｌ）がある。伝送チャネルの上位にあり、伝送チャネルにマッピングされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００２９】
図３は、３ＧＰＰシステムに用いられる物理チャネル及びこれらのチャネルを用いる一般的な信号伝送方法を説明するための図である。
【００３０】
端末は、電源がついたり、新しくセルに進入したりした場合に、基地局と同期を合わせる等の初期セル探索（Ｉｎｉｔｉａｌ  ｃｅｌｌ  ｓｅａｒｃｈ）作業を行う（Ｓ３０１）。そのために、端末は基地局からプライマリ同期チャネル（Ｐｒｉｍａｒｙ  Ｓｙｎｃｈｒｏｎｉｚａｔｉｏｎ  Ｃｈａｎｎｅｌ；Ｐ−ＳＣＨ）及びセカンダリ同期チャネル（Ｓｅｃｏｎｄａｒｙ  Ｓｙｎｃｈｒｏｎｉｚａｔｉｏｎ  Ｃｈａｎｎｅｌ；Ｓ−ＳＣＨ）を受信して基地局と同期を取り、セルＩＤなどの情報を獲得することができる。その後、端末は、基地局から物理放送チャネル（Ｐｈｙｓｉｃａｌ  Ｂｒｏａｄｃａｓｔ  Ｃｈａｎｎｅｌ）を受信して、セル内の放送情報を獲得することができる。一方、端末は、初期セル探索段階において下りリンク参照信号（Ｄｏｗｎｌｉｎｋ  Ｒｅｆｅｒｅｎｃｅ  Ｓｉｇｎａｌ；ＤＬ  ＲＳ）を受信して下りリンクチャネル状態を確認することができる。
【００３１】
初期セル探索を終えた端末は、物理下りリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）及び該ＰＤＣＣＨに乗せられた情報に基づいて物理下りリンク共有チャネル（Ｐｈｙｓｉｃａｌ  Ｄｏｗｎｌｉｎｋ  Ｃｏｎｔｒｏｌ  Ｃｈａｎｎｅｌ；ＰＤＳＣＨ）を受信することによって、より具体的なシステム情報を獲得することができる（Ｓ３０２）。
【００３２】
一方、基地局に最初に接続したり、信号伝送のための無線リソースがないと、端末は、基地局に対してランダムアクセス手順（Ｒａｎｄｏｍ  Ａｃｃｅｓｓ  Ｐｒｏｃｅｄｕｒｅ；ＲＡＣＨ）を行うことができる（段階Ｓ３０３乃至段階Ｓ３０６）。そのために、端末は、物理ランダムアクセスチャネル（Ｐｈｙｓｉｃａｌ  Ｒａｎｄｏｍ  Ａｃｃｅｓｓ  Ｃｈａｎｎｅｌ；ＰＲＡＣＨ）を通じて特定シーケンスをプリアンブルとして伝送し（Ｓ３０３及びＳ３０５）、ＰＤＣＣＨ及び対応するＰＤＳＣＨを通じてプリアンブルに対する応答メッセージを受信することができる（Ｓ３０４及びＳ３０６）。競合ベースのＲＡＣＨについては、衝突解決手順（Ｃｏｎｔｅｎｔｉｏｎ  Ｒｅｓｏｌｕｔｉｏｎ  Ｐｒｏｃｅｄｕｒｅ）をさらに行うことができる。
【００３３】
上述のような手順を行った端末は、以降、一般的な上りリンク／下りリンク信号伝送手順として、ＰＤＣＣＨ／ＰＤＳＣＨ受信（Ｓ３０７）及び物理上りリンク共有チャネル（Ｐｈｙｓｉｃａｌ  Ｕｐｌｉｎｋ  Ｓｈａｒｅｄ  Ｃｈａｎｎｅｌ；ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）伝送（Ｓ３０８）を行うことができる。端末が上りリンクを通じて基地局に伝送する、または端末が基地局から受信する制御情報は、下りリンク／上りリンクＡＣＫ／ＮＡＣＫ信号、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）、ＲＩ（Ｒａｎｋ  Ｉｎｄｉｃａｔｏｒ）などを含む。３ＧＰＰ  ＬＴＥシステムにおいて、端末は、上記のＣＱＩ／ＰＭＩ／ＲＩなどの制御情報をＰＵＳＣＨ及び／またはＰＵＣＣＨを通じて伝送することができる。
【００３４】
図４は、下りリンク無線フレームにおいて一つのサブフレームの制御領域に含まれる制御チャネルを示す図である。
【００３５】
図４を参照すると、サブフレームは、１４個のＯＦＤＭシンボルで構成されている。サブフレーム設定によって、先頭の１〜３個のＯＦＤＭシンボルは制御領域として用いられ、残り１３〜１１個のＯＦＤＭシンボルはデータ領域として用いられる。同図で、Ｒ１〜Ｒ４は、アンテナ０〜３に対する参照信号（Ｒｅｆｅｒｅｎｃｅ  Ｓｉｇｎａｌ；ＲＳ）を表す。ＲＳは、制御領域及びデータ領域を問わず、サブフレーム内に一定のパターンで固定される。制御チャネルは、制御領域においてＲＳの割り当てられていないリソースに割り当てられ、トラフィックチャネルも同様、データ領域においてＲＳの割り当てられていないリソースに割り当てられる。制御領域に割り当てられる制御チャネルには、ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  ＣＨａｎｎｅｌ）、ＰＤＣＣＨ（Ｐｈｙｓｉｃａｌ  Ｄｏｗｎｌｉｎｋ  Ｃｏｎｔｒｏｌ  ＣＨａｎｎｅｌ）などがある。
【００３６】
ＰＣＦＩＣＨは、物理制御フォーマット指示子チャネルで、毎サブフレームごとにＰＤＣＣＨに用いられるＯＦＤＭシンボルの個数を端末に知らせる。ＰＣＦＩＣＨは、最初のＯＦＤＭシンボルに位置し、ＰＨＩＣＨ及びＰＤＣＣＨに優先して設定される。ＰＣＦＩＣＨは、４個のＲＥＧ（Ｒｅｓｏｕｒｃｅ  Ｅｌｅｍｅｎｔ  Ｇｒｏｕｐ）で構成され、それぞれのＲＥＧは、セルＩＤ（Ｃｅｌｌ  ＩＤｅｎｔｉｔｙ）に基づいて制御領域内に分散される。一つのＲＥＧは４個のＲＥ（Ｒｅｓｏｕｒｃｅ  Ｅｌｅｍｅｎｔ）で構成される。ＲＥとは、１副搬送波×１  ＯＦＤＭシンボルと定義される最小物理リソースのことを指す。ＰＣＦＩＣＨ値は、帯域幅によって１〜３または２〜４の値を指示し、ＱＰＳＫ（Ｑｕａｄｒａｔｕｒｅ  Ｐｈａｓｅ  Ｓｈｉｆｔ  Ｋｅｙｉｎｇ）で変調される。
【００３７】
ＰＨＩＣＨは、物理ＨＡＲＱ（Ｈｙｂｒｉｄ−Ａｕｔｏｍａｔｉｃ  Ｒｅｐｅａｔ  ａｎｄ  ｒｅｑｕｅｓｔ）指示子チャネルで、上りリンク伝送に対するＨＡＲＱ  ＡＣＫ／ＮＡＣＫを運ぶのに用いられる。すなわち、ＰＨＩＣＨは、ＵＬ  ＨＡＲＱのためのＤＬ  ＡＣＫ／ＮＡＣＫ情報が伝送されるチャネルのことを指す。ＰＨＩＣＨは、１個のＲＥＧで構成され、セル特定（ｃｅｌｌ−ｓｐｅｃｉｆｉｃ）にスクランブル（ｓｃｒａｍｂｌｉｎｇ）される。ＡＣＫ／ＮＡＣＫは、１ビットで指示され、ＢＰＳＫ（Ｂｉｎａｒｙ  ｐｈａｓｅ  ｓｈｉｆｔ  ｋｅｙｉｎｇ）で変調される。変調されたＡＣＫ／ＮＡＣＫは、拡散因子（Ｓｐｒｅａｄｉｎｇ  Ｆａｃｔｏｒ；ＳＦ）＝２または４で拡散される。同一のリソースにマッピングされる複数のＰＨＩＣＨは、ＰＨＩＣＨグループを構成する。ＰＨＩＣＨグループに多重化されるＰＨＩＣＨの個数は、拡散コードの個数によって決定される。ＰＨＩＣＨ（グループ）は、周波数領域及び／または時間領域でダイバーシティ利得を得るために３回反復（ｒｅｐｅｔｉｔｉｏｎ）される。
【００３８】
ＰＤＣＣＨは、物理下りリンク制御チャネルで、サブフレームの先頭ｎ個のＯＦＤＭシンボルに割り当てられる。ここで、ｎは、１以上の整数であり、ＰＣＦＩＣＨにより指示される。ＰＤＣＣＨは一つ以上のＣＣＥで構成される。ＰＤＣＣＨは、伝送チャネルであるＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）のリソース割当と関連した情報、上りリンクスケジューリンググラント（Ｕｐｌｉｎｋ  Ｓｃｈｅｄｕｌｉｎｇ  Ｇｒａｎｔ）、ＨＡＲＱ情報などを各端末または端末グループに知らせる。ＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）はＰＤＳＣＨを通じて伝送される。したがって、基地局と端末は、一般的に、特定の制御情報または特定のサービスデータ以外はＰＤＳＣＨを通じてデータをそれぞれ伝送及び受信する。
【００３９】
ＰＤＳＣＨのデータがどの端末（一つまたは複数の端末）に伝送されるのか、該端末がどのようにＰＤＳＣＨデータを受信してデコーディング（ｄｅｃｏｄｉｎｇ）をすべきかに関する情報などがＰＤＣＣＨに含まれて伝送される。例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣマスキング（ｍａｓｋｉｎｇ）されており、「Ｂ」という無線リソース（例、周波数位置）及び「Ｃ」というＤＣＩフォーマット、すなわち、伝送形式情報（例、伝送ブロックサイズ、変調方式、コーディング情報など）を用いて伝送されるデータに関する情報が、特定サブフレームを通じて伝送されるとする。この場合、セル内の端末は、自身が持っているＲＮＴＩ情報を用いてＰＤＣＣＨをモニタリングし、「Ａ」のＲＮＴＩを持っている一つ以上の端末があると、該端末はＰＤＣＣＨを受信し、受信したＰＤＣＣＨの情報に基づいて「Ｂ」と「Ｃ」により指示されるＰＤＳＣＨを受信する。
【００４０】
図５は、ＬＴＥでシステムで用いられる上りリンクサブフレームの構造を示す図である。
【００４１】
図５を参照すると、上りリンクサブフレームは、複数（例、２個）のスロットを含む。スロットは、ＣＰ長によって異なる数のＳＣ−ＦＤＭＡシンボルを含むことができる。一例として、一般（ｎｏｒｍａｌ）ＣＰについてスロットは７個のＳＣ−ＦＤＭＡシンボルを含むことができる。上りリンクサブフレームは、データ領域と制御領域とに区別される。データ領域は、ＰＵＳＣＨを含み、音声などのデータ信号を伝送するのに用いられる。制御領域は、ＰＵＣＣＨを含み、制御情報を伝送するのに用いられる。ＰＵＣＣＨは、周波数軸においてデータ領域の両端部に位置しているＲＢ対（ＲＢ  ｐａｉｒ）（例、ｍ＝０，１，２，３）を含み、スロットを境界にホッピングする。制御情報は、ＡＣＫ／ＮＡＣＫ、ＣＱＩ、ＰＭＩ、ＲＩなどを含む。
【００４２】
図６は、ＬＴＥシステムで用いられる上りリンクサブフレームの構造を示す図である。
【００４３】
図６を参照すると、ＬＴＥ上りリンク伝送の基本単位である１ｍｓ長のサブフレーム６００は、２つの０．５ｍｓスロット６０１で構成される。一般（Ｎｏｒｍａｌ）サイクリックプレフィックス（Ｃｙｃｌｉｃ  Ｐｒｅｆｉｘ、ＣＰ）の長さを仮定すると、各スロットは、７個のシンボル６０２で構成され、１つのシンボルは１つのＳＣ−ＦＤＭＡシンボルに対応する。リソースブロック（Ｒｅｓｏｕｒｃｅ  Ｂｌｏｃｋ）６０３は、周波数領域で１２個の副搬送波、そして時間領域で１スロットに該当するリソース割当単位である。ＬＴＥの上りリンクサブフレームの構造は、データ領域６０４と制御領域６０５とに大別される。ここで、データ領域は、各端末に伝送される音声、パケットなどのデータを送信するのに用いられる一連の通信リソースを意味し、サブフレーム内において制御領域以外の残りリソースに該当する。制御領域は、各端末からの下りリンクチャネル品質報告、下りリンク信号に対する受信ＡＣＫ／ＮＡＣＫ、上りリンクスケジューリング要請などを送信するのに用いられる一連の通信リソースを意味する。
【００４４】
図６に示す例のように、１サブフレーム内でサウンディング参照信号（Ｓｏｕｎｄｉｎｇ  Ｒｅｆｅｒｅｎｃｅ  Ｓｉｇｎａｌ；ＳＲＳ）が伝送されうる領域６０６は、１サブフレームにおいて時間軸上で最後に位置するＳＣ−ＦＤＭＡシンボル区間であり、周波数上ではデータ伝送帯域を通じて伝送される。同じサブフレームの最後のＳＣ−ＦＤＭＡで伝送される複数の端末のサウンディング参照信号は、周波数位置によって区別可能である。
【００４５】
なお、一つのサブフレーム内で復調用参照信号（Ｄｅｍｏｄｕｌａｔｉｏｎ−Ｒｅｆｅｒｅｎｃｅ  Ｓｉｇｎａｌ；ＤＭ  ＲＳ）６０７が伝送される領域は、時間軸上で各スロットの中央に位置するＳＣ−ＦＤＭＡシンボルがある区間であり、同様に、周波数上ではデータ伝送帯域を通じて伝送される。例えば、一般ＣＰが適用されるサブフレームでは、４番目のＳＣ−ＦＤＭＡシンボルと１１番目のＳＣ−ＦＤＭＡシンボルでＤＭ  ＲＳが伝送される。
【００４６】
ＤＭ  ＲＳは、ＰＵＳＣＨまたはＰＵＣＣＨの伝送と結合可能である。ＳＲＳは、上りリンクスケジューリングのために端末が基地局に伝送する参照信号である。基地局は、受信したＳＲＳから上りリンクチャネルを推定し、推定された上りリンクチャネルを上りリンクスケジューリングに用いる。ＳＲＳは、ＰＵＳＣＨまたはＰＵＣＣＨの伝送と結合されない。ＤＭ  ＲＳとＳＲＳのために同種の基本シーケンスを用いることができる。一方、上りリンク多重アンテナ伝送においてＤＭ  ＲＳに適用されたプリコーディングは、ＰＵＳＣＨに適用されたプリコーディングと同一であってもよい。
【００４７】
図７は、ＤＭ  ＲＳを伝送するための信号処理過程を説明するための図である。同図に示すように、データは、時間領域で信号を生成し、ＤＦＴプリコーダ（ｐｒｅｃｏｄｅｒ）を通じた周波数マッピング後にＩＦＦＴを経て伝送されるのに対し、ＲＳは、ＤＦＴプリコーダ過程が省かれ、周波数領域で直接生成（Ｓ１１）された後に、ローカル化マッピング（Ｓ１２）、ＩＦＦＴ（Ｓ１３）過程及びＣＰ付加過程（Ｓ１４）を順次経て伝送される。
【００４８】
図８は一般ＣＰ（ｎｏｒｍａｌ  ＣＰ）の場合にＤＭ  ＲＳを伝送するためのサブフレームの構造を示す図であり、図９は、拡張ＣＰ（ｅｘｔｅｎｄｅｄ  ＣＰ）の場合にＤＭ  ＲＳを伝送するためのサブフレームの構造を示す図である。
【００４９】
以下、ＭＩＭＯシステムについて説明する。ＭＩＭＯ（Ｍｕｌｔｉｐｌｅ−Ｉｎｐｕｔ  Ｍｕｌｔｉｐｌｅ−Ｏｕｔｐｕｔ）は、複数個の送信アンテナと複数個の受信アンテナを用いる方法で、この方法により、データの送受信効率を向上させることができる。すなわち、無線通信システムにおける送信端あるいは受信端で複数個のアンテナを用いることによって容量を増大させ、性能を向上させることができる。以下、本文献でＭＩＭＯを「多重アンテナ」と呼ぶことができる。
【００５０】
多重アンテナ技術では、一つの全体メッセージを受信するために、単一アンテナ経路に依存せず、複数のアンテナから受信した各データ断片（ｆｒａｇｍｅｎｔ）を一つに併合することでデータを完成する。多重アンテナ技術を用いると、特定したサイズのセル領域内でデータ伝送速度を向上させること、または、特定データ伝送速度を保障しながらシステムカバレッジ（ｃｏｖｅｒａｇｅ）を増加させること、が可能である。また、この技術は移動通信端末及び中継機などに幅広く用いることができる。多重アンテナ技術によれば、単一アンテナを用いる従来技術による移動通信における伝送量の限界を克服することができる。
【００５１】
本発明で説明する多重アンテナ（ＭＩＭＯ）通信システムの構成図が、図１０に示されている。送信端にはＮＴ個の送信アンテナが設けられており、受信端にはＮＲ個の受信アンテナが設けられている。このように、送信端及び受信端の両方とも複数個のアンテナを用いる場合には、送信端または受信端のいずれか一方でのみ複数個のアンテナを用いる場合に比べて、理論的なチャネル伝送容量が増加する。チャネル伝送容量の増加はアンテナの数に比例する。したがって、伝送レートが向上し、周波数効率が向上する。一つのアンテナを用いる場合における最大伝送レートをＲｏとすると、多重アンテナを用いる時の伝送レートは、理論的に、下記の式１のように、最大伝送レートＲｏにレート増加率Ｒｉをかけた分だけ増加することができる。ここで、Ｒｉは、ＮＴ及びＮＲのうち小さい値である。
【００５２】
【数１】
2013535857.tif 000003
例えば、４個の送信アンテナ及び４個の受信アンテナを用いるＭＩＭＯ通信システムでは、単一アンテナシステムに比べて理論上４倍の伝送レートを獲得することができる。このような多重アンテナシステムの理論的容量増加が９０年代半ばに証明されて以来、実質的にデータ伝送率を向上させるための種々の技術が今も活発に研究されており、いくつかの技術は既に３世代移動通信及び次世代無線ＬＡＮなどの様々な無線通信の標準に反映されている。
【００５３】
現在までの多重アンテナ関連研究動向を見ると、様々なチャネル環境及び多重接続環境における多重アンテナ通信容量計算などと関連した情報理論側面の研究、多重アンテナシステムの無線チャネル測定及び模型導出の研究、そして伝送信頼度向上及び伝送率向上のための時空間信号処理技術研究など、様々な観点から活発な研究が行われている。
【００５４】
多重アンテナシステムにおける通信方法をより具体的に説明するためにこれを数学的にモデリングすると、次のように示すことができる。図１０に示すように、ＮＴ個の送信アンテナとＮＲ個の受信アンテナが存在するとする。まず、送信信号については、ＮＴ個の送信アンテナがある場合に、最大伝送可能な情報はＮＴ個であるから、伝送情報を下記の式２のようなベクトルで表すことができる。
【００５５】
【数２】
2013535857.tif 000004
一方、それぞれの伝送情報
【００５６】
【化１】
2013535857.tif 000005
において伝送電力を異ならせることができ、この時、それぞれの伝送電力を
【００５７】
【化２】
2013535857.tif 000006
とすると、伝送電力の調整された伝送情報をベクトルで表すと、下記の式３の通りである。
【００５８】
【数３】
2013535857.tif 000007
また、
【００５９】
【化３】
2013535857.tif 000008
を伝送電力の対角行列Ｐを用いて式４のように表すことができる。
【００６０】
【数４】
2013535857.tif 000009
一方、伝送電力の調整された情報ベクトル
【００６１】
【化４】
2013535857.tif 000010
に重み行列Ｗが適用されて、実際に伝送されるＮＴ個の送信信号（ｔｒａｎｓｍｉｔｔｅｄ  ｓｉｇｎａｌ）
【００６２】
【化５】
2013535857.tif 000011
が構成される場合を考慮しよう。ここで、重み行列は、伝送情報を伝送チャネル状況などに応じて各アンテナに適切に分配する役割を果たす。このような送信信号
【００６３】
【化６】
2013535857.tif 000012
はベクトルｘを用いて下記の式５のように表すことができる。ここで、
【００６４】
【化７】
2013535857.tif 000013
の送信アンテナ及び
【００６５】
【化８】
2013535857.tif 000014
の情報間の重み値を意味する。
【００６６】
【化９】
2013535857.tif 000015
は、重み行列（Ｗｅｉｇｈｔ  Ｍａｔｒｉｘ）またはプリコーディング行列（Ｐｒｅｃｏｄｉｎｇ  Ｍａｔｒｉｘ）と呼ばれる。
【００６７】
【数５】
2013535857.tif 000016
一般に、チャネル行列のランクの物理的な意味は、与えられたチャネルで互いに異なる情報を送りうる最大数ということができる。したがって、チャネル行列のランク（ｒａｎｋ）は、互いに独立している（ｉｎｄｅｐｅｎｄｅｎｔ）行（ｒｏｗ）または列（ｃｏｌｕｍｎ）の個数のうち、最小の個数と定義されるので、行列のランクは、行（ｒｏｗ）または列（ｃｏｌｕｍｎ）の個数よりも大きくなることはない。数式的に例示すると、チャネル行列Ｈのランクｒａｎｋ（Ｈ）は、式６のように制限される。
【００６８】
【数６】
2013535857.tif 000017
また、多重アンテナ技術を用いて送る互いに異なる情報のそれぞれを、「伝送ストリーム（Ｓｔｒｅａｍ）」または簡単に「ストリーム」と定義するとする。このような「ストリーム」を「レイヤ（Ｌａｙｅｒ）」と呼ぶこともできる。そのため、伝送ストリームの個数は、当然ながら、互いに異なる情報を送りうる最大数であるチャネルのランクより大きくなることはない。したがって、チャネル行列Ｈは、下記の式７のように表すことができる。
【００６９】
【数７】
2013535857.tif 000018
ここで、「＃  ｏｆ  ｓｔｒｅａｍｓ」は、ストリームの数を表す。一方、ここで、１ストリームは１以上のアンテナを通じて伝送可能であるという点に注意されたい。
【００７０】
１以上のストリームを複数個のアンテナに対応付ける方法には、様々な方法がある。これらの方法を、多重アンテナ技術の種類によって次のように区別することができる。１個のストリームが複数のアンテナを経て伝送される場合は空間ダイバーシティ方式とし、複数のストリームが複数のアンテナを経て伝送される場合は空間マルチプレクシング方式とすることができる。もちろん、その中間形態である、空間ダイバーシティと空間マルチプレクシングとを混合（Ｈｙｂｒｉｄ）した形態も可能である。
【００７１】
一方、伝送チャネルとして上りリンク共有チャネルの処理構造を説明すると、次の通りである。図１１は、上りリンク共有チャネルに対する伝送チャネルの処理過程を説明するブロック図である。図１１に示すように、制御情報と共に多重化されるデータ情報は、上りリンクで伝送すべき伝送ブロック（Ｔｒａｎｓｐｏｒｔ  Ｂｌｏｃｋ；以下「ＴＢ」）にＴＢ用ＣＲＣ（Ｃｙｃｌｉｃ  Ｒｅｄｕｎｄａｎｃｙ  Ｃｈｅｃｋ）を付加した後（１３０）、ＴＢサイズによって複数個のコードブロック（Ｃｏｄｅ  ｂｌｏｃｋ；以下、「ＣＢ」）に分けられ、複数のＣＢにはＣＢ用ＣＲＣが付加される（１３１）。この結果値にチャネル符号化が行われる（１３２）。続いて、これらのチャネル符号化されたデータは、レートマッチング（Ｒａｔｅ  Ｍａｔｃｈｉｎｇ）（１３３）後に、再びＣＢ同士の結合が行われ（Ｓ１３４）、これらの結合されたＣＢは、ＣＱＩ／ＰＭＩ（Ｃｈａｎｎｅｌ  Ｑｕａｌｉｔｙ  Ｉｎｆｏｒｍａｔｉｏｎ／Ｐｒｅｃｏｄｉｎｇ  Ｍａｔｒｉｘ  Ｉｎｄｅｘ）と多重化（ｍｕｌｔｉｐｌｅｘｉｎｇ）される（１３５）。
【００７２】
一方、ＣＱＩ／ＰＭＩは、データと別途にチャネル符号化が行われる（１３６）。チャネル符号化されたＣＱＩ／ＰＭＩはデータと多重化される（１３５）。また、ＲＩ（Ｒａｎｋ  Ｉｎｄｉｃａｔｉｏｎ）もデータと別途にチャネル符号化が行われる（１３７）。
【００７３】
ＡＣＫ／ＮＡＣＫ（Ａｃｋｎｏｗｌｅｄｇｍｅｎｔ／Ｎｅｇａｔｉｖｅ  Ａｃｋｎｏｗｌｅｄｇｍｅｎｔ）は、データ、ＣＱＩ／ＰＭＩ及びＲＩと別途にチャネル符号化が行われ（１３８）。多重化されたデータとＣＱＩ／ＰＭＩ、別途にチャネル符号化されたＲＩ、ＡＣＫ／ＮＡＣＫは、チャネルインターリービングされて出力信号として生成される（１３９）。
【００７４】
一方、ＬＴＥ上りリンクシステムにおいて、データと制御チャネルのための物理リソース要素（Ｒｅｓｏｕｒｃｅ  Ｅｌｅｍｅｎｔ；以下、「ＲＥ」という。）について説明する。
【００７５】
図１２は、上りリンクデータ及び制御チャネル伝送のための物理リソースのマッピング（ｍａｐｐｉｎｇ）方法を説明するための図である。図１２に示すように、ＣＱＩ／ＰＭＩとデータは、時間優先方式（ｔｉｍｅ−ｆｉｒｓｔ）でＲＥ上にマッピングされる。エンコーディングされたＡＣＫ／ＮＡＣＫは、復調用参照信号（Ｄｅｍｏｄｕｌａｔｉｏｎ  Ｒｅｆｅｒｅｎｃｅ  Ｓｉｇｎａｌ；ＤＭ  ＲＳ）シンボルの周辺にパンクチャリング（ｐｕｎｃｔｕｒｉｎｇ）により挿入され、ＲＩは、ＡＣＫ／ＮＡＣＫの位置しているＲＥに隣接したＲＥにマッピングされる。ＲＩとＡＣＫ／ＮＡＣＫのためのリソースは、最大４個のＳＣ−ＦＤＭＡシンボルを占有することができる。上り共有チャネルにデータと制御情報が同時に伝送される場合に、マッピングの順序は、ＲＩ、ＣＱＩ／ＰＭＩとデータの連接、そしてＡＣＫ／ＮＡＣＫの順序である。すなわち、ＲＩがまずマッピングされた後、ＣＱＩ／ＰＭＩとデータとの連接が時間優先方式により、ＲＩのマッピングされているＲＥ以外のＲＥにマッピングされる。ＡＣＫ／ＮＡＣＫは、既にマッピングされたＣＱＩ／ＰＭＩとデータとの連接をパンクチャリングしながらマッピングされる。
【００７６】
上記のようにデータ及びＣＱＩ／ＰＭＩなどの上りリンク制御情報（Ｕｐｌｉｎｋ  Ｃｏｎｔｒｏｌ  Ｉｎｆｏｒｍａｔｉｏｎ；ＵＣＩ）を多重化することによって、単一搬送波特性を満たすことができる。したがって、低いＣＭ（Ｃｕｂｉｃ  Ｍｅｔｒｉｃ）を維持する上りリンク伝送を達成することができる。既存システムを改善したシステム（例えば、ＬＴＥ−Ａシステム）では、各ユーザー機器に対して各コンポーネントキャリア上でＳＣ−ＦＤＭＡとクラスタＤＦＴｓ  ＯＦＤＭＡの２伝送方式のうち少なくとも一伝送方式が、上りリンク伝送のために適用され、ＵＬ−ＭＩＭＯ（Ｕｐｌｉｎｋ−ＭＩＭＯ）伝送と共に適用されることが可能である。
【００７７】
図１３は、上りリンク共有チャネル上でデータと制御チャネルとを效率的に多重化する方法を説明するフローチャートである。図１３に示すように、ユーザー機器は、物理上りリンク共有チャネル（Ｐｈｙｓｉｃａｌ  Ｕｐｌｉｎｋ  Ｓｈａｒｅｄ  Ｃｈａｎｎｅｌ；ＰＵＳＣＨ）のデータに対するランクを認識する（Ｓ１５０）。その後、ユーザー機器は、当該データに対するランクと同じランクに、上りリンク制御チャネル（制御チャネルとは、ＣＱＩ、ＡＣＫ／ＮＡＣＫ及びＲＩなどの上りリンク制御情報（Ｕｐｌｉｎｋ  Ｃｏｎｔｒｏｌ  Ｉｎｆｏｒｍａｔｉｏｎ；ＵＣＩ）を意味する）のランクを設定する（Ｓ１５１）。また、ユーザー機器は、データ及び制御情報を多重化する（Ｓ１５２）。その後、データ及びＣＱＩを時間優先（ｔｉｍｅ−ｆｉｒｓｔ）方式でマッピング（ｍａｐｐｉｎｇ）した後、ＲＩを指定されたＲＥにマッピングし、ＡＣＫ／ＮＡＣＫを、ＤＭ−ＲＳ周囲のＲＥをパンクチャリングしてマッピングすることを助けるために、チャネルインターリービング（ｃｈａｎｎｅｌ  ｉｎｔｅｒｌｅａｖｉｎｇ）を行うことができる（Ｓ１５３）。その後、データと制御チャネルは、ＭＣＳテーブルによってＱＰＳＫ、１６ＱＡＭ、６４ＱＡＭなどで変調される（Ｓ１５４）。この時、上記変調段階は他の位置に移動してもよい（例えば、変調ブロックをデータおよび制御チャネルの多重化段階の前に移動してもよい）。また、チャネルインターリービングは、コードワード単位に行われてもよく、レイヤ単位に行われてもよい。
【００７８】
図１４は、データと制御チャネルの伝送信号を生成する方法を説明するブロック図である。各ブロックの位置は、適用方式によって変更されてもよい。２つのコードワードを仮定すると、チャネルコーディングは各コードワードに対して行われ（１６０）、与えられたＭＣＳレベルとリソースのサイズによってレートマッチング（ｒａｔｅ  ｍａｔｃｈｉｎｇ）が行われる（１６１）。その後、エンコーディングされたビット（ｂｉｔ）は、セル固有（ｃｅｌｌ−ｓｐｅｃｉｆｉｃ）、ユーザー機器固有（ＵＥ−ｓｐｅｃｉｆｉｃ）またはコードワード固有（ｃｏｄｅｗｏｒｄ−ｓｐｅｃｉｆｉｃ）の方式でスクランブリングされる（１６２）。続いて、コードワード対レイヤマッピング（ｃｏｄｅｗｏｒｄ  ｔｏ  ｌａｙｅｒ）が行われる（１６３）。この過程で、レイヤシフト（ｌａｙｅｒ  ｓｈｉｆｔ）またはパーミュテーション（ｐｅｒｍｕｔａｔｉｏｎ）の動作を含むことができる。
【００７９】
図１５は、コードワード対レイヤマッピング方法を説明する図である。このコードワード対レイヤマッピングは、図１４に示す規則を用いて行えばよい。
【００８０】
続いて、ＣＱＩ、ＲＩ及びＡＣＫ／ＮＡＣＫのような制御情報は、与えられた条件（ｓｐｅｃｉｆｉｃａｔｉｏｎ）によってチャネル符号化される（１６５）。ここで、ＣＱＩ、ＲＩ及びＡＣＫ／ＮＡＣＫは、全てのコードワードに対して同じチャネル符号を用いて符号化されてもよく、コードワード別に異なるチャネル符号を用いて符号化されてもよい。
【００８１】
その後、エンコーディングされたビットの数は、ビットサイズ制御部で変更可能である（１６６）。ビットサイズ制御部は、チャネルコーディングブロック１６５と単一化されてもよい。ビットサイズ制御部から出力された信号はスクランブリングされる（１６７）。ここで、スクランブリングは、セル−特定（ｃｅｌｌ−ｓｐｅｃｉｆｉｃ）、レイヤ特定（ｌａｙｅｒ−ｓｐｅｃｉｆｉｃ）、コードワード−特定（ｃｏｄｅｗｏｒｄ−ｓｐｅｃｉｆｉｃ）またはユーザー機器特定（ＵＥ−ｓｐｅｃｉｆｉｃ）に行うことができる
ビットサイズ制御部は、下記のように動作できる。
【００８２】
（１）ビットサイズ制御部は、ＰＵＳＣＨに対するデータのランク（ｎ＿ｒａｎｋ＿ｐｕｓｃｈ）を認識する。
【００８３】
（２）制御チャネルのランク（ｎ＿ｒａｎｋ＿ｃｏｎｔｒｏｌ）は、データのランクと同一に（すなわち、ｎ＿ｒａｎｋ＿ｃｏｎｔｒｏｌ＝ｎ＿ｒａｎｋ＿ｐｕｓｃｈ）設定され、制御チャネルに対するビットの数（ｎ＿ｂｉｔ＿ｃｔｒｌ）は、制御チャネルのランクがかけられてそのビット数が拡張される。
【００８４】
これを行う一方法として、制御チャネルを単純に複写して反復することがある。この場合、制御チャネルは、チャネルコーディング前の情報レベルでも、チャネルコーディング後の符号化されたビットレベルでもよい。例えば、ｎ＿ｂｉｔ＿ｃｔｒｌ＝４の制御チャネル［ａ０，ａ１，ａ２，ａ３］とｎ＿ｒａｎｋ＿ｐｕｓｃｈ＝２の場合に、拡張されたビット数（ｎ＿ｅｘｔ＿ｃｔｒｌ）は、［ａ０，ａ１，ａ２，ａ３，ａ０，ａ１，ａ２，ａ３］と、８ビットになりうる。
【００８５】
ビットサイズ制御部及びチャネル符号化部が一体として構成される場合に、符号化されたビットは、既存システム（例えば、ＬＴＥ  Ｒｅｌ−８）で定義されたチャネルコーディング及びレートマッチングを適用して生成することができる。
【００８６】
ビットサイズ制御部に加えて、レイヤ別にさらにランダム化を与えるために、ビットレベルのインターリービングが行われてもよい。または、これと等価的に変調シンボルレベルでインターリービングが行われてもよい。
【００８７】
ＣＱＩ／ＰＭＩチャネルと２個のコードワードのデータは、データ／制御情報多重化器（ｍｕｌｔｉｐｌｅｘｅｒ）で多重化することができる（１６４）。その後、一つのサブフレーム内で両スロットに、ＡＣＫ／ＮＡＣＫ情報が上りリンクＤＭ−ＲＳ周囲のＲＥにマッピングされるようにしながら、チャネルインターリーバは、時間優先マッピング方式によってＣＱＩ／ＰＭＩをマッピングする（１６８）。
【００８８】
その後、各レイヤに対して変調を行い（１６９）、ＤＦＴプリコーディング（１７０）、ＭＩＭＯプリコーディング（１７１）、ＲＥマッピング（１７２）を順次に行う。その後、ＳＣ−ＦＤＭＡ信号を生成し、生成された制御信号をアンテナポートから伝送する（１７３）。
【００８９】
上述の機能ブロックは、図１４に示す位置に制限されるものではなく、場合によってその位置が変更されてもよい。例えば、スクランブリングブロック（１６２，１６７）はチャネルインターリービングブロックの次に位置してもよい。また、コードワード対レイヤマッピングブロック（１６３）は、チャネルインターリービングブロック（１６８）の次にまたは変調マッパーブロック（１６９）の次にに位置してもよい。
【００９０】
以下、参照信号、特にＤＭ−ＲＳについてより具体的に説明する。
【００９１】
参照信号シーケンス
【００９２】
【化１０】
2013535857.tif 000019
は、式８によって、基本シーケンス
【００９３】
【化１１】
2013535857.tif 000020
とサイクリックシフト（ｃｙｃｌｉｃ  ｓｈｉｆｔ）値
【００９４】
【化１２】
2013535857.tif 000021
に基づいて定義できる。
【００９５】
【数８】
2013535857.tif 000022
式８で、
【００９６】
【化１３】
2013535857.tif 000023
は、参照信号シーケンスの長さであり、
【００９７】
【化１４】
2013535857.tif 000024
である。
【００９８】
【化１５】
2013535857.tif 000025
は、周波数領域において副搬送波の個数で表したリソースブロックのサイズを表し、
【００９９】
【化１６】
2013535857.tif 000026
の倍数で表した上りリンク帯域幅の最大値を表す。複数の参照信号シーケンスは一つの基本シーケンスからサイクリックシフト値である
【０１００】
【化１７】
2013535857.tif 000027
を異なるように適用して定義できる。
【０１０１】
基本シーケンス
【０１０２】
【化１８】
2013535857.tif 000028
は、複数のグループに分けられ、この時、
【０１０３】
【化１９】
2013535857.tif 000029
はグループインデックスを、
【０１０４】
【化２０】
2013535857.tif 000030
はグループ内で基本シーケンスインデックスを表す。基本シーケンスは、基本シーケンスの長さ
【０１０５】
【化２１】
2013535857.tif 000031
に依存する。各グループは、１≦ｍ≦５であるｍに対して、長さが
【０１０６】
【化２２】
2013535857.tif 000032
である一つの基本シーケンス（ｖ＝０）を含み、
【０１０７】
【化２３】
2013535857.tif 000033
であるｍに対しては、長さが
【０１０８】
【化２４】
2013535857.tif 000034
である２個の基本シーケンス（ｖ＝０、１）を含む。シーケンスグループインデックスとグループ内の基本シーケンスインデックス
【０１０９】
【化２５】
2013535857.tif 000035
は、後述するグループホッピング（ｇｒｏｕｐ  ｈｏｐｐｉｎｇ）またはシーケンスホッピング（ｓｅｑｕｅｎｃｅ  ｈｏｐｐｉｎｇ）のように時間によって変わることがある。
【０１１０】
また、
【０１１１】
【化２６】
2013535857.tif 000036
あるいはそれ以上の長さを有する基本シーケンスは、下記の式９のように定義される。
【０１１２】
【数９】
2013535857.tif 000037
式９で、
【０１１３】
【化２７】
2013535857.tif 000038
は、ＺＣ（Ｚａｄｏｆｆ−Ｃｈｕ）シーケンスのルートインデックス（ｒｏｏｔ  ｉｎｄｅｘ）を表す。
【０１１４】
【化２８】
2013535857.tif 000039
は、ＺＣシーケンスの長さであり、
【０１１５】
【化２９】
2013535857.tif 000040
よりも小さい最大素数（ｐｒｉｍｅ  ｎｕｍｂｅｒ）で与えることができる。ルートインデックス
【０１１６】
【化３０】
2013535857.tif 000041
であるＺＣシーケンスは、式１０により定義できる。
【０１１７】
【数１０】
2013535857.tif 000042
また、
【０１１８】
【化３１】
2013535857.tif 000043
は、下記の式１１によって与えることができる。
【０１１９】
【数１１】
2013535857.tif 000044
参照信号シーケンスの長さが
【０１２０】
【化３２】
2013535857.tif 000045
以下の場合に、基本シーケンスは式１２によって定義できる。
【０１２１】
【数１２】
2013535857.tif 000046
下記の表１及び表２はそれぞれ、
【０１２２】
【化３３】
2013535857.tif 000047
を定義した例示である。
【０１２３】
【表１】
2013535857.tif 000048
【０１２４】
【表２】
2013535857.tif 000049
参照信号のホッピングは、下記のように適用することができる。
【０１２５】
スロットインデックス
【０１２６】
【化３４】
2013535857.tif 000050
のシーケンスグループインデックス
【０１２７】
【化３５】
2013535857.tif 000051
は、式１３によってグループホッピングパターン
【０１２８】
【化３６】
2013535857.tif 000052
とシーケンス遷移パターン
【０１２９】
【化３７】
2013535857.tif 000053
に基づいて定義可能である。
【０１３０】
【数１３】
2013535857.tif 000054
異なった１７個のグループホッピングパターン及び異なった３０個のシーケンス遷移パターンが存在できる。グループホッピングを適用するか否かは、上位層によって指示されるとよい。
【０１３１】
ＰＵＣＣＨ及びＰＵＳＣＨは、同じグループホッピングパターンを有することができる。グループホッピングパターン
【０１３２】
【化３８】
2013535857.tif 000055
は、式１４によって定義できる。
【０１３３】
【数１４】
2013535857.tif 000056
式１４で、
【０１３４】
【化３９】
2013535857.tif 000057
は、ＰＮシーケンスである擬似ランダムシーケンス（ｐｓｅｕｄｏ−ｒａｎｄｏｍ  ｓｅｑｕｅｎｃｅ）であり、長さ３１のゴールド（Ｇｏｌｄ）シーケンスによって定義できる。式１５は、ゴールドシーケンス
【０１３５】
【化４０】
2013535857.tif 000058
の一例を表す。
【０１３６】
【数１５】
2013535857.tif 000059
ここで、Ｎｃ＝１６００であり、ｘ１（ｉ）は第１のｍ−シーケンスで、ｘ２（ｉ）は第２のｍ−シーケンスである。例えば、第１のｍ−シーケンスまたは第２のｍ−シーケンスは、毎ＳＣ−ＦＤＭＡシンボルごとにセルＩＤ、一つの無線フレーム内のスロット番号、スロット内のＳＣ−ＦＤＭＡシンボルインデックス、ＣＰの種類などによって初期化（ｉｎｉｔｉａｌｉｚａｔｉｏｎ）可能である。擬似ランダムシーケンス生成器は、各無線フレームの先頭において
【０１３７】
【化４１】
2013535857.tif 000060
で初期化できる。
【０１３８】
ＰＵＣＣＨ及びＰＵＳＣＨは、同じシーケンスシフトパターンを有することができる。ＰＵＣＣＨのシーケンスシフトパターン
【０１３９】
【化４２】
2013535857.tif 000061
で与えられることが可能である。ＰＵＳＣＨのシーケンスシフトパターン
【０１４０】
【化４３】
2013535857.tif 000062
で与えられ、
【０１４１】
【化４４】
2013535857.tif 000063
は上位層によって構成可能である。
【０１４２】
シーケンスホッピングは、長さが
【０１４３】
【化４５】
2013535857.tif 000064
よりも大きい参照信号シーケンスにのみ適用可能である。この時、スロットインデックス
【０１４４】
【化４６】
2013535857.tif 000065
の基本シーケンスグループ内の基本シーケンスインデックス
【０１４５】
【化４７】
2013535857.tif 000066
は、式１６により定義できる。
【０１４６】
【数１６】
2013535857.tif 000067
ｃ（ｉ）は、式１５の例示によって表現され、シーケンスホッピングの適用するか否かは上位層によって指示されるとよい。擬似ランダムシーケンス生成器は、各無線フレームの先頭において
【０１４７】
【化４８】
2013535857.tif 000068
で初期化できる。
【０１４８】
ＰＵＳＣＨのためのＤＭ  ＲＳシーケンスは、式１７によって定義できる。
【０１４９】
【数１７】
2013535857.tif 000069
式１７で、
【０１５０】
【化４９】
2013535857.tif 000070
である。
【０１５１】
スロット内でサイクリックシフト値
【０１５２】
【化５０】
2013535857.tif 000071
は、下記の式１８のように定義され、
【０１５３】
【化５１】
2013535857.tif 000072
は、下記の式１９のように定義できる。
【０１５４】
【数１８】
2013535857.tif 000073
【０１５５】
【数１９】
2013535857.tif 000074
式１９で、
【０１５６】
【化５２】
2013535857.tif 000075
は、上位層から伝送されるパラメータｃｙｃｌｉｃＳｈｉｆｔにより指示され、表３は、該パラメータ値と
【０１５７】
【化５３】
2013535857.tif 000076
との対応関係の例示を示す。
【０１５８】
【表３】
2013535857.tif 000077
また、式１９で、
【０１５９】
【化５４】
2013535857.tif 000078
は、ＰＵＳＣＨ伝送に対応する伝送ブロックのためのＤＣＩフォーマット０内のサイクリックシフトフィールド（ｃｙｃｌｉｃ  ｓｈｉｆｔ  ｆｉｅｌｄ）によって定義されるとよい。ＤＣＩフォーマットはＰＤＣＣＨで伝送される。このサイクリックシフトフィールドは３ビットの長さを有することができる。
【０１６０】
表４は、上記サイクリックシフトフィールドと
【０１６１】
【化５５】
2013535857.tif 000079
との対応関係の一例である。
【０１６２】
【表４】
2013535857.tif 000080
同一の伝送ブロックでＤＣＩフォーマット０を含む下りリンク物理制御チャネル（ＰＤＣＣＨ）が伝送されない場合、同一の伝送ブロックで最初のＰＵＳＣＨが半永久的（ｓｅｍｉ−ｐｅｒｓｉｓｔｅｎｔｌｙ）にスケジューリングされた場合、または同一の伝送ブロックで最初のＰＵＳＣＨがランダムアクセス応答グラント（ｒａｎｄｏｍ  ａｃｃｅｓｓ  ｒｅｓｐｏｎｓｅ  ｇｒａｎｔ）によりスケジューリングされた場合に、
【０１６３】
【化５６】
2013535857.tif 000081
は０でよい。
【０１６４】
【化５７】
2013535857.tif 000082
は、式２０によって定義できる。
【０１６５】
【数２０】
2013535857.tif 000083
ｃ（ｉ）は、式１５の例示によって表現でき、ｃ（ｉ）のセル別に（ｃｅｌｌ−ｓｐｅｃｆｉｃ）適用可能である。擬似ランダムシーケンス生成器は、各無線フレームの先頭において
【０１６６】
【化５８】
2013535857.tif 000084
で初期化できる。
【０１６７】
ＤＭ  ＲＳシーケンス
【０１６８】
【化５９】
2013535857.tif 000085
は、振幅スケーリング因子（ａｍｐｌｉｔｕｄｅ  ｓｃａｌｉｎｇ  ｆａｃｔｏｒ）
【０１６９】
【化６０】
2013535857.tif 000086
とかけられ、該当するＰＵＳＣＨ伝送に用いられる物理伝送ブロックに、
【０１７０】
【化６１】
2013535857.tif 000087
から始まってシーケンスでマッピングされる。該ＤＭ  ＲＳシーケンスは、一つのスロット内で、一般ＣＰの場合は４番目のＳＣ−ＦＤＭＡシンボル（ＳＣ−ＦＤＭＡシンボルインデックス３）、拡張ＣＰの場合は３番目のＳＣ−ＦＤＭＡシンボル（ＳＣ−ＦＤＭＡシンボルインデックス２）にマッピングされる。
【０１７１】
一方、ＤＭ  ＲＳ参照信号シーケンスにＯＣＣ（Ｏｒｔｈｏｇｏｎａｌ  Ｃｏｄｅ  Ｃｏｖｅｒ）が適用されてもよい。ＯＣＣは、互いに直交性（ｏｒｔｈｇｏｎａｌｉｔｙ）を有しながらシーケンスに適用されうるコードのことを意味する。一般に、複数のチャネルを区別するために、互いに異なるシーケンスを用いることができるが、ＯＣＣを用いて複数のチャネルを区別してもよい。ＯＣＣは、次のような用途に用いることができる。
【０１７２】
１）上りリンク参照信号、すなわち、ＤＭ  ＲＳに割り当てられる無線リソースの容量を増やすためにＯＣＣを適用することができる。例えば、第１のスロットと第２のスロットで伝送されるＤＭ  ＲＳのサイクリックシフト値がａと割り当てられるとき、第２のスロットで伝送されるＤＭ  ＲＳに（−）符号を割り当てることができる。すなわち、第１のユーザーは、第２のスロットでサイクリックシフト値がａであるとともに符号が（＋）であるＤＭ  ＲＳを伝送し、第２のユーザーは、第２のスロットでサイクリックシフト値がａであるとともに符号が（−）であるＤＭ  ＲＳを伝送することができる。基地局は、第１のスロットで伝送されるＤＭ  ＲＳ及び第２のスロットで伝送されるＤＭ  ＲＳを足すことで第１のユーザーのチャネルを推定することができる。
【０１７３】
また、基地局は、第１のスロットで伝送されるＤＭ  ＲＳから第２のスロットで伝送されるＤＭ  ＲＳを引くことで第２のユーザーのチャネルを推定することができる。すなわち、ＯＣＣを適用することによって、基地局は、第１のユーザーが伝送するＤＭ  ＲＳと第２のユーザーが伝送するＤＭ  ＲＳとを区別することができる。そのため、少なくとも２人のユーザーが同一ＤＭ  ＲＳシーケンスを使用しながらも、互いに異なるＯＣＣを使用することによって、使用可能な無線リソースの容量を２倍に増やすことができる。
【０１７４】
ＯＣＣを適用したＤＭ  ＲＳを伝送するときに、適用されるＯＣＣを指示するフィールドを下りリンク制御信号内に割り当てることができる。例えば、下りリンク制御信号内にＯＣＣ指示子（ｉｎｄｉｃａｔｏｒ）フィールドが１ビット長で割り当てられるとすると、該ＯＣＣ指示子を表５のように示すことができる。
【０１７５】
【表５】
2013535857.tif 000088
表５を参照すると、ＯＣＣ指示子の値が０の時に、第２のスロットで伝送されるＤＭ  ＲＳに（＋）符号を適用し、ＯＣＣ指示子の値が１の時に、第２のスロットで伝送されるＤＭ  ＲＳに（−）符号を適用する。
【０１７６】
２）単一ユーザーの多重アンテナまたは多重レイヤに割り当てられるサイクリックシフト値の間隔を増やすためにＯＣＣを適用することもできる。以下、多重レイヤに割り当てられるサイクリックシフト値を説明するが、多重アンテナに割り当てられるサイクリックシフト値にも同様な適用が可能である。
【０１７７】
上述したように、ＤＭ  ＲＳは、サイクリックシフト値に基づいてチャネルを区別する。多重アンテナシステムでは、複数のレイヤ区別するために、各レイヤに対するＤＭ  ＲＳにそれぞれ異なるサイクリックシフト値を割り当てることができる。レイヤの個数が増加するほど、割り当てるべきサイクリックシフト値も増加しなければならず、サイクリックシフト値間の間隔は減ってしまう。そのため、複数のチャネルの区別がし難くなり、チャネル推定性能が低下する。
【０１７８】
これを克服するためにＯＣＣを各レイヤに適用することができる。例えば、４個のアンテナに対して、各レイヤにＤＭ  ＲＳのサイクリックシフトオフセット０、６、３及び９がそれぞれ割り当てられるとしよう。各レイヤに対する参照信号間のサイクリックシフト値の間隔は３である。この時、第３のレイヤと第４のレイヤに（−）符号のＯＣＣを適用することで、同一ＯＣＣを適用する各レイヤの参照信号間のサイクリックシフト値の間隔を６と増やすことができる。すなわち、第１のレイヤ乃至第４のレイヤの第１のスロットに適用される長さＮのＤＭ  ＲＳシーケンスをそれぞれ、（Ｓ０１，…，Ｓ０Ｎ）、（Ｓ６１，…，Ｓ６Ｎ）、（Ｓ３１，…，Ｓ３Ｎ）、（Ｓ９１，…，Ｓ９Ｎ）とするとき、第１のレイヤ乃至第４のレイヤの第２のスロットに適用されるＤＭ  ＲＳシーケンスはそれぞれ、（Ｓ０１，…，Ｓ０Ｎ）、（Ｓ６１，…，Ｓ６Ｎ）、（−Ｓ３１，…，−Ｓ３Ｎ）、（−Ｓ９１，…，−Ｓ９Ｎ）になる。両スロットのＤＭ  ＲＳシーケンスを足すと、第１のレイヤと第２のレイヤの参照信号のみ残ることになってサイクリックシフト値の間隔が６になり、これと同様に、両スロットのＤＭ  ＲＳシーケンスを引くと、第３のレイヤと第４のレイヤの参照信号のみ残り、同様にサイクリックシフト値の間隔は６になる。これにより、チャネル推定の性能を増大させることができる。
【０１７９】
同様に、３個のレイヤに対して、各レイヤにＤＭ  ＲＳのサイクリックシフトオフセット０、６及び３がそれぞれ割り当てられるとしよう。各レイヤに対する参照信号間のサイクリックシフト値の間隔は３である。この時、第３のレイヤに（−）符号のＯＣＣを適用することで、各レイヤのＤＭ  ＲＳ間のサイクリックシフト値の間隔を６に増やすことができる。すなわち、第１のレイヤ乃至第３のレイヤの第１のスロットに適用される長さＮのＤＭ  ＲＳシーケンスをそれぞれ、（Ｓ０１，…，Ｓ０Ｎ）、（Ｓ６１，…，Ｓ６Ｎ）、（Ｓ３１，…，Ｓ３Ｎ）とするとき、第１のレイヤ乃至第３のレイヤの第２のスロットに適用されるＤＭ  ＲＳシーケンスはそれぞれ、（Ｓ０１，…，Ｓ０Ｎ）、（Ｓ６１，…，Ｓ６Ｎ）、（−Ｓ３１，…，−Ｓ３Ｎ）になる。両スロットのＤＭ  ＲＳシーケンスを足すと、第１のレイヤと第２のレイヤの参照信号のみ残るようになってサイクリックシフト値の間隔は６になり、これと同様に、両スロットのＤＭ  ＲＳシーケンスを引くと、第３のレイヤの参照信号のみ残る。これにより、チャネル推定の性能を増大させることができる。
【０１８０】
３）単一ユーザーに割り当てられるサイクリックシフト値の間隔を増やすためにＯＣＣを適用することもできる。多重アンテナを有する複数のユーザーを含む多重ユーザーＭＩＭＯ（ＭＵ−ＭＩＭＯ）システムにおいてサイクリックシフト値にＯＣＣを適用することができる。例えば、ＭＩＭＯ伝送を行う単一ユーザーの観点では、複数のアンテナまたは複数のレイヤを区別するために、各アンテナまたは各レイヤ間に、間隔の大きいサイクリックシフト値を割り当てることができるが、多重ユーザーの観点では、各ユーザー間のサイクリックシフト間隔が狭くなることがある。これを克服するためにＯＣＣを適用することができる。ＯＣＣが適用される際に、ＯＣＣのタイプによって多重ユーザー間に同じサイクリックシフト値を適用することができる。
【０１８１】
表６に、４個のアンテナまたは４個のレイヤが存在する時にＯＣＣが適用される一例を示す。
【０１８２】
【表６】
2013535857.tif 000089
表６で、（ａ，ｂ）は、（第１のスロット，第２のスロット）または（第２のスロット，第１のスロット）に適用されるＯＣＣを表す。ＯＣＣが適用されるタイプを指示する１ビットのＯＣＣタイプフィールドが、サイクリックシフト値を指示する下りリンク制御信号に付加されるとよい。表７は、ＯＣＣタイプフィールドの一例である。
【０１８３】
【表７】
2013535857.tif 000090
表７で、ＯＣＣタイプフィールドの値が０であると、表６のタイプＡ（または、タイプＢ）のＯＣＣを適用し、ＯＣＣタイプフィールドの値が１であると、表６のタイプＢ（または、タイプＡ）のＯＣＣを適用することができる。
【０１８４】
表６のタイプ１−Ｂを参照すると、任意の一つのスロットで伝送される全レイヤまたはアンテナの参照信号に（−）符号が適用される。このようにＯＣＣが適用される場合に、あるユーザーにはＯＣＣが適用され、あるユーザーにはＯＣＣが適用されないことがある。ＯＣＣは、リソースとして活用されてもよく、多重ユーザー間のサイクリックシフト値の間隔を増やすために用いられてもよい。
【０１８５】
表６のタイプ２−Ａを参照すると、任意の一つのスロットで伝送される一部のレイヤまたはアンテナの参照信号に（−）符号が適用される。タイプ２−Ａでは、第３のレイヤ（またはアンテナ）及び第４のレイヤ（またはアンテナ）の参照信号に（−）符号が適用される。ＯＣＣはリソースとして活用されてもよく、多重ユーザー間のサイクリックシフト値の間隔を増やすために用いられてもよい。
【０１８６】
表８は、表６のタイプ２のＯＣＣが２人のユーザーに適用された一例である。
【０１８７】
【表８】
2013535857.tif 000091
第１のユーザーは４個のレイヤに対してＤＭ  ＲＳを伝送し、第２のユーザーは２個のレイヤに対してＤＭ  ＲＳを伝送する。第１のユーザー、第２のユーザーの両者に対して表６のタイプ２−ＡのＯＣＣが適用される。これにより、第１のユーザーの第３のレイヤ及び第４のレイヤのＤＭ  ＲＳに（−）符号が適用され、第２のユーザーの第１のレイヤ及び第２のレイヤのＤＭ  ＲＳには（−）符号が適用されない。
【０１８８】
表６のタイプ３−Ａを参照すると、任意の一つのスロットで伝送される一部のレイヤまたはアンテナのＤＭ  ＲＳに（−）符号が適用される。タイプ３−Ａでは、第２のレイヤ（またはアンテナ）及び第４のレイヤ（またはアンテナ）の参照信号に（−）符号が適用される。ＯＣＣは、リソースとして活用されてもよく、多重ユーザー間のサイクリックシフト値の間隔を増やすために用いられてもよい。
【０１８９】
表６のタイプ４−Ａを参照すると、任意の一つのスロットで伝送される一部のレイヤまたはアンテナのＤＭ  ＲＳに（−）符号が適用される。タイプ４−Ａでは、第２のレイヤ（またはアンテナ）及び第３のレイヤ（またはアンテナ）の参照信号に（−）符号が適用される。ＯＣＣはリソースとして活用されてもよく、多重ユーザー間のサイクリックシフト値の間隔を増やすために用いられてもよい。
【０１９０】
以上の説明に基づき、現在ＬＴＥ−Ａ標準文書では、多重アンテナを用いたＤＭ  ＲＳ伝送のために、下記の表９のように、ＤＣＩフォーマット（上りリンクグラント）に含まれたサイクリックシフトフィールドによって
【０１９１】
【化６２】
2013535857.tif 000092
を定義した。特に、下記の表９は、上記表４を拡張したものであり、
【０１９２】
【化６３】
2013535857.tif 000093
は、レイヤインデックス
【０１９３】
【化６４】
2013535857.tif 000094
に対応するＯＣＣ値を表し、特に、
【０１９４】
【化６５】
2013535857.tif 000095
は、レイヤインデックス
【０１９５】
【化６６】
2013535857.tif 000096
の第１のスロットに適用されるＯＣＣ値であり、
【０１９６】
【化６７】
2013535857.tif 000097
は、レイヤインデックス
【０１９７】
【化６８】
2013535857.tif 000098
の第２のスロットに適用されるＯＣＣ値である。
【０１９８】
【表９】
2013535857.tif 000099
以上の説明に基づいて、本発明は、多重アンテナを用いたＤＭ  ＲＳ伝送において、再伝送時にサイクリックシフト値及びＯＣＣを該当のレイヤに割り当てる方法を提案する。より具体的に、端末の再伝送時に生じうる問題点を解決するためのもので、特定伝送ブロックまたは特定コードワードに関する再伝送が要求される場合に、当該伝送ブロックまたは当該コードワードを再伝送するためのサイクリックシフト値とＯＣＣを割り当てる方法を提案する。
【０１９９】
特に、本発明は、ＰＨＩＣＨで再伝送メッセージを受信する場合に限定される。すなわち、ＰＨＩＣＨで再伝送がトリガリング（ｔｒｉｇｇｅｒｉｎｇ）される場合であるから、基地局は、ＰＨＩＣＨリソースを用いて上記２個の伝送ブロックに対するＡＣＫ／ＮＡＣＫのみを端末に知らせるだけで、端末に再伝送のための上りリンクグラントを含むＰＤＣＣＨを伝送しないので、再伝送のためのサイクリックシフト値やＯＣＣなどのシグナリングは別途に行われない。そのため、再伝送の際、より効率的なＤＭ  ＲＳ伝送のために、各該当のレイヤにサイクリックシフト値とＯＣＣを割り当てる方法が提案される必要がある。
【０２００】
再伝送時に、初期伝送時に各該当のレイヤに割り当てられたサイクリックシフト値及びＯＣＣを同一に使用する方法（Ｒｅｕｓｅ  ｓｃｈｅｍｅ）を考慮してもよいが、後述するように、２コードワード対３レイヤマッピング時に第２コードワードのみを再伝送する場合にはサイクリックシフト値の最大間隔を維持できないという問題が生じうる。
【０２０１】
そこで、本発明では、再伝送が発生する特定伝送ブロックまたはコードワードに対して、最近の上りリンクグラントと関係しているＤＣＩに含まれたサイクリックシフトフィールド（ｃｙｃｌｉｃ  ｓｈｉｆｔ  ｆｉｅｌｄ）で指定された値に基づいて、各該当のレイヤに割り当てられるサイクリックシフト値とＯＣＣ値を初期化して割り当てる（Ｒｅｓｅｔ  ｓｃｈｅｍｅ）。再伝送しようとする伝送ブロックあるいはコードワードの数が初期伝送と同一である場合は、初期伝送時に割り当てられたサイクリックシフト値及びＯＣＣを再伝送時にも各該当のレイヤにそのまま割り当てることができる。しかし、再伝送しようとする伝送ブロックあるいはコードワードの数が初期伝送に比べて減った場合は、最近の上りリンクグラントと関係しているＤＣＩに含まれたサイクリックシフトフィールド（ｃｙｃｌｉｃ  ｓｈｉｆｔ  ｆｉｅｌｄ）で指定された値に基づいて、再伝送時に各該当のレイヤにサイクリックシフト値及びＯＣＣ値を新しく割り当てる。
【０２０２】
すなわち、最近に受信した上りリンクグラント（ＵＬ  ｇｒａｎｔ）で割り当てられたＤＭ  ＲＳサイクリックシフト値に基づいて、再伝送の伝送ブロックに対応するそれぞれのレイヤに対して、表９に表されたサイクリックシフト値及びＯＣＣ割当規則を新しく適用する。ここで、最近に受信した上りリンクグラントは、同じＨＡＲＱプロセスＩＤを持つ上りリンクグラントを意味することが好ましい。
【０２０３】
初期伝送で２個のコードワードを伝送したが、再伝送時には１個のコードワードのみを再伝送する場合を挙げて説明する。該当の再伝送コードワードに対するそれぞれのレイヤに対してサイクリックシフト値及びＯＣＣを割り当てる時に、初期伝送で使用したサイクリックシフト値及びＯＣＣとは違い、最近に上りリンクグラントで割り当てられたサイクリックシフトフィールドで指示する値に基づいて、再伝送コードワードに対応するレイヤに割り当てられるサイクリックシフト値の間隔が最大になるように、表９を用いてサイクリックシフト値及びＯＣＣ値を再び割り当てる。
【０２０４】
例えば、最近に受信した上りリンクグラントによりＮ個のレイヤ伝送が指示され、端末は、データ伝送を試みた後に、ＰＨＩＣＨを通じて伝送ブロックに対するＡＣＫ／ＮＡＣＫを確認する。１個の伝送ブロックを再伝送する場合に、ランク１またはランク２の伝送を試みるようになるが、この時、ＤＭ  ＲＳのサイクリックシフト値は、最近に受信した上りリンクグラントのサイクリックシフトフィールドから獲得したサイクリックシフト値に基づいて第１のレイヤに対応する
【０２０５】
【化６９】
2013535857.tif 000100
を割り当てる。ランク２伝送が行われる場合には、第２のレイヤのためのサイクリックシフト値は既に設定されたオフセット値から決定されるが、第１のレイヤ対比６のオフセットを持つようにすることができる。結果として、第１のレイヤは
【０２０６】
【化７０】
2013535857.tif 000101
対比０のオフセットを有するように割り当てられ、第２のレイヤは、
【０２０７】
【化７１】
2013535857.tif 000102
対比６のオフセットを有するように割り当てられる。このような方法によれば、再伝送時に最大間隔のサイクリックシフト値を各レイヤ別に割り当てることが可能になる。
【０２０８】
他の例として、２コードワード対３レイヤマッピングの場合に、
【０２０９】
【化７２】
2013535857.tif 000103
対比０、６、３のオフセットを有するようにサイクリックシフト値が各レイヤに割り当てられると仮定する。この場合、第１のコードワードがマッピングされる第１のレイヤには、
【０２１０】
【化７３】
2013535857.tif 000104
対比０のオフセットを有するサイクリックシフト値が割り当てられ、第２のコードワードがマッピングされる第２のレイヤ及び第３のレイヤには、それぞれ、
【０２１１】
【化７４】
2013535857.tif 000105
対比６、３のオフセットを有するサイクリックシフト値が割り当てられる。ただし、表９によれば、第２のレイヤにはＯＣＣ値
【０２１２】
【化７５】
2013535857.tif 000106
が割り当てられ、第３のレイヤは
【０２１３】
【化７６】
2013535857.tif 000107
が割り当てられることで、サイクリックシフト値の間隔を６に維持することができる。
【０２１４】
ここで、初期伝送時に割り当てられたサイクリックシフト値を再伝送時にそのまま用いる場合に、すなわち、Ｒｅｕｓｅ  Ｓｃｈｅｍｅの場合に、第２のコードワードのみ再伝送されるとすると、
【０２１５】
【化７７】
2013535857.tif 000108
対比６、３のオフセットを有するサイクリックシフト値が割り当てられ、ＯＣＣは、
【０２１６】
【化７８】
2013535857.tif 000109
のみが割り当てられるため、２レイヤ間サイクリックシフト値の間隔は３になり、ランク２伝送であるにもかかわらず最大間隔が保障されない。
【０２１７】
しかし、上述したＲｅｓｅｔ  Ｓｃｈｅｍｅの場合には、第２のコードワードのみ再伝送されても、各レイヤに、
【０２１８】
【化７９】
2013535857.tif 000110
対比０、６のオフセットを有するサイクリックシフト値が割り当てられるから、
【０２１９】
【化８０】
2013535857.tif 000111
のＯＣＣが割り当てられる場合にもサイクリックシフト値の最大間隔が保障され、チャネル推定性能を高めることができる。
【０２２０】
一方、ＰＨＩＣＨを通じて再伝送するか否かを知らせる場合に、各レイヤへのＯＣＣ割当は、表９で各レイヤに割り当てられるサイクリックシフト値に対応するＯＣＣ値を割り当てる方法と、各レイヤに割り当てられるサイクリックシフト値によらずにＯＣＣ値を割り当てる方法を考慮することができる。
【０２２１】
例えば、サイクリックシフト値により生成されたＤＭ  ＲＳシーケンスのＯＣＣ値を構成するにあたって、サイクリックシフト値０、６により生成されるＤＭ  ＲＳシーケンスは、第１のスロット、第２のスロット両方で（＋１）符号を有するようにし、サイクリックシフト値３、９により生成されるシーケンスは、第１のスロットで（＋１）符号を有するようにし、第２のスロットでは（−１）符号を有するように構成できる。すなわち、２個のレイヤのためのサイクリックシフト値として０、６の値または３、９が割り当てられる場合に、第１のスロットではＤＭ  ＲＳシーケンスが（＋１）符号を有し、第２のスロットのシーケンスでは、サイクリックシフト値が０、６であるとＤＭ  ＲＳシーケンスが（＋１）の符号を、そしてサイクリックシフト値が３、９であるとＤＭ  ＲＳシーケンスが（−１）の符号を有するように決定すればよい。
【０２２２】
他の例として、サイクリックシフト値にかかわらず、各レイヤによってＯＣＣが決定されることについて説明する。第１のレイヤのためには第１のスロット及び第２のスロットのＤＭ  ＲＳシーケンスが常に（＋１）の符号を有するようにし、第２のレイヤのためには、第１のスロットのシーケンスでは（＋１）の符号、第２のスロットのシーケンスでは（−１）の符号を有するように設定する場合に、２個のレイヤのためのサイクリックシフト値が、第１のレイヤのためには０、第２のレイヤのために６の値が割り当てられたと仮定する。この時、各レイヤのためにいずれのサイクリックシフト値が割り当てられたかにかかわらず、第１のレイヤのＤＭ  ＲＳシーケンスは第１のスロットと第２のスロットで常に（＋１）の符号を有し、第２のレイヤのＤＭ  ＲＳシーケンスは、第１のスロットでは（＋１）の符号を有し、第２のスロットでは（−１）の符号を有するようにすることができる。または、ランク２伝送において第１のレイヤと第２のレイヤの第２のスロットが両方とも（＋１）の符号または（−１）の符号を有するようにしてもよい。
【０２２３】
図１６は、本発明の一実施例に係る通信送受信機の構成を示すブロック図である。送受信機は、基地局または端末の一部でよい。
【０２２４】
図１６を参照すると、送受信機８００は、プロセッサ８１０、メモリ８２０、ＲＦモジュール８３０、ディスプレイモジュール８４０及びユーザーインターフェースモジュール８５０を含む。
【０２２５】
送受信機８００は、説明の便宜のために例示されたもので、一部のモジュールは省かれてもよい。或いは、送受信機８００は、必要なモジュールをさらに備えてもよい。また、送受信機８００において一部のモジュールはさらに細分化したモジュールにしてもよい。プロセッサ８１０は、図面を参照して例示した本発明の実施例に係る動作を実行するように構成される。
【０２２６】
具体的に、送受信機８００が基地局の一部の場合に、プロセッサ８１０は、制御信号を生成して複数の周波数ブロック内に設定された制御チャネルにマッピングする機能を実行することができる。また、送受信機８００が端末の一部の場合に、プロセッサ８１０は、複数の周波数ブロックから受信した信号から、自身に指示された制御チャネルを確認し、制御信号を抽出することができる。
【０２２７】
その後、プロセッサ８１０は、制御信号に基づいて必要な動作を行うことができる。プロセッサ８１０の詳細な動作は、図１乃至図１５に記載された内容を参照すればよい。
【０２２８】
メモリ８２０は、プロセッサ８１０に接続し、オペレーティングシステム、アプリケーション、プログラムコード、データなどを記憶する。ＲＦモジュール８３０は、プロセッサ８１０に接続し、基底帯域信号を無線信号に変換したり、無線信号を基底帯域信号に変換する機能を果たす。そのために、ＲＦモジュール８３０は、アナログ変換、増幅、フィルタリング及び周波数アップ変換、またはこれらの逆過程を行う。ディスプレイモジュール８４０は、プロセッサ８１０に接続し、様々な情報をディスプレイする。ディスプレイモジュール８４０は、これに制限されるものではないが、ＬＣＤ（Ｌｉｑｕｉｄ  Ｃｒｙｓｔａｌ  Ｄｉｓｐｌａｙ）、ＬＥＤ（Ｌｉｇｈｔ  Ｅｍｉｔｔｉｎｇ  Ｄｉｏｄｅ）、ＯＬＥＤ（Ｏｒｇａｎｉｃ  Ｌｉｇｈｔ  Ｅｍｉｔｔｉｎｇ  Ｄｉｏｄｅ）のような周知の要素を用いることができる。ユーザーインターフェースモジュール８５０は、プロセッサ８１０に接続し、キーパッド、タッチスクリーンなどのような周知のユーザーインターフェースの組み合わせで構成することができる。
【０２２９】
以上説明してきた実施例は、本発明の構成要素及び特徴を所定形態に結合したものである。各構成要素または特徴は、別の明示的な言及がない限り、選択的なものとして考慮しなければならない。各構成要素または特徴は、他の構成要素や特徴と結合しない形態で実施することもでき、一部の構成要素及び／または特徴を結合して本発明の実施例を構成することもできる。本発明の実施例で説明される動作の順序は変更可能である。ある実施例の一部の構成や特徴は、別の実施例に含まれることもでき、別の実施例の対応する構成または特徴に代えることもできる。特許請求の範囲において明示的な引用関係を有しない請求項を結合して実施例を構成したり、出願後の補正により新しい請求項として含めたりすることができることは明らかである。
【０２３０】
本文書で、本発明の実施例は、端末と基地局間のデータ送受信関係を中心に説明された。本文書で基地局により行われるとした特定動作は、場合によっては、その上位ノード（ｕｐｐｅｒ  ｎｏｄｅ）により行われてもよい。すなわち、基地局を含む複数のネットワークノード（ｎｅｔｗｏｒｋ  ｎｏｄｅｓ）からなるネットワークにおいて端末との通信のために行われる様々な動作は、基地局または基地局以外の別のネットワークノードにより行われうることは明らかである。基地局は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ａｃｃｅｓｓ  ｐｏｉｎｔ）などの用語に代替可能である。また、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に代替可能である。
【０２３１】
本発明に係る実施例は、様々な手段、例えば、ハードウェア、ファームウェア（ｆｉｒｍｗａｒｅ）、ソフトウェアまたはそれらの結合などにより具現することができる。ハードウェアによる具現の場合、本発明の一実施例は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【０２３２】
ファームウェアやソフトウェアによる具現の場合、本発明の一実施例は、以上で説明された機能または動作を行うモジュール、手順、関数などの形態に具現することができる。ソフトウェアコードは、メモリユニットに記憶されて、プロセッサにより駆動されるものでよい。メモリユニットは、プロセッサの内部または外部に設けられ、既に公知の様々な手段によりプロセッサとデータを授受することができる。
【０２３３】
本発明は、本発明の特徴から逸脱しない範囲で別の特定の形態に具体化できるということは、当業者にとっては自明である。そのため、上記の詳細な説明は、いずれの面においても制限的に解釈してはならず、例示的なものとして考慮しなければならない。本発明の範囲は、添付の請求項の合理的な解釈により決定すべきであり、本発明の等価的範囲内における変更はいずれも本発明の範囲に含まれる。
【産業上の利用可能性】
【０２３４】
本発明は、無線通信システムに適用することができる。より具体的に、本発明は、多重アンテナ伝送を支援する無線通信システムにおいて端末がサウンディング参照信号を送信する方法及び装置に適用することができる。
【図１０】
2013535857.tif 000112
【図１】
2013535857.tif 000113
【図２】
2013535857.tif 000114
【図３】
2013535857.tif 000115
【図４】
2013535857.tif 000116
【図５】
2013535857.tif 000117
【図６】
2013535857.tif 000118
【図７】
2013535857.tif 000119
【図８】
2013535857.tif 000120
【図９】
2013535857.tif 000121
【図１１】
2013535857.tif 000122
【図１２】
2013535857.tif 000123
【図１３】
2013535857.tif 000124
【図１４】
2013535857.tif 000125
【図１５】
2013535857.tif 000126
【図１６】
2013535857.tif 000127
【手続補正書】
【提出日】平成25年1月10日(2013.1.10)
【手続補正１】
【補正対象書類名】特許請求の範囲
【補正対象項目名】全文
【補正方法】変更
【補正の内容】
【特許請求の範囲】
【請求項１】
多重アンテナ無線通信システムにおいてユーザー機器（ＵＥ）で信号を伝送するための方法であって、該方法は、
基地局（ＢＳ）から第１の上りリンクグラントを受信することと、
該第１の上りリンクグラントに基づいて、複数の層を介して伝送ブロックと、該伝送ブロックに対する参照信号（ＲＳ）とを伝送することと、
該伝送ブロックに対するＡＣＫｎｏｗｌｅｄｇｍｅｎｔ／Ｎｅｇａｔｉｖｅ  ＡＣＫｎｏｗｌｅｄｇｍｅｎｔ（ＡＣＫ／ＮＡＣＫ）情報を受信することと、
該ＡＣＫ／ＮＡＣＫ情報に従って、少なくとも１つの層を介して少なくとも１つの伝送ブロックと、該少なくとも１つの伝送ブロックに対する該ＲＳとを再伝送することと
を含み、
再伝送に対する第２の上りリンクグラントが該ＢＳから受信されていない場合、および該少なくとも１つの伝送ブロックの数が伝送ブロックの数と等しくない場合、該少なくとも１つの伝送ブロックに対する該ＲＳのリソースは、該第１の上りリンクグラント内に含まれたサイクリックシフトフィールドと、該少なくとも１つの層の数とに基づいて構成される、方法。
【請求項２】
前記ＲＳの前記リソースは、サイクリックシフト値と、Ｏｒｔｈｏｇｏｎａｌ  Ｃｏｖｅｒ  Ｃｏｄｅ（ＯＣＣ）値とを含む、請求項１に記載の方法。
【請求項３】
再伝送に対する前記第２の上りリンクグラントが前記ＢＳから受信されていない場合、および前記少なくとも１つの伝送ブロックの数が前記伝送ブロックの数と等しい場合、該少なくとも１つの伝送ブロックに対する前記ＲＳのリソースは、該伝送ブロックに対する該ＲＳのリソースと同じである、請求項１に記載の方法。
【請求項４】
前記サイクリックシフト値は、０から１１までの範囲にある、請求項２に記載の方法。
【請求項５】
前記第１の上りリンクグラントおよび前記第２の上りリンクグラントは、物理下りリンク制御チャネル（ＰＤＣＣＨ）を通じて受信され、前記ＡＣＫ／ＮＡＣＫ情報は、Ｐｈｙｓｉｃａｌ  Ｈｙｂｒｉｄ  ＡＲＱ  Ｉｎｄｉｃａｔｏｒ  ＣＨａｎｎｅｌ（ＰＨＩＣＨ）を通じて受信される、請求項１に記載の方法。
【請求項６】
多重アンテナ無線通信システムにおいて基地局（ＢＳ）で信号を受信するための方法であって、該方法は、
第１の上りリンクグラントをユーザー機器（ＵＥ）に伝送することと、
該第１の上りリンクグラントに基づいて、複数の層を介して伝送ブロックと、該伝送ブロックに対する参照信号（ＲＳ）とを受信することと、
該伝送ブロックに対するＡＣＫｎｏｗｌｅｄｇｍｅｎｔ／Ｎｅｇａｔｉｖｅ  ＡＣＫｎｏｗｌｅｄｇｍｅｎｔ（ＡＣＫ／ＮＡＣＫ）情報を伝送することと、
該ＡＣＫ／ＮＡＣＫ情報に従って該ＵＥから再伝送される少なくとも１つの伝送ブロックおよび該少なくとも１つの伝送ブロックに対する該ＲＳを、少なくとも１つの層を介して受信することと
を含み、
再伝送に対する第２の上りリンクグラントが該ＵＥに伝送されていない場合、および該少なくとも１つの伝送ブロックの数が伝送ブロックの数と等しくない場合、該少なくとも１つの伝送ブロックに対する該ＲＳのリソースは、該第１の上りリンクグラント内に含まれたサイクリックシフトフィールドと、該少なくとも１つの層の数とに基づいて構成される、方法。
【請求項７】
前記ＲＳの前記リソースは、サイクリックシフト値と、Ｏｒｔｈｏｇｏｎａｌ  Ｃｏｖｅｒ  Ｃｏｄｅ（ＯＣＣ）値とを含む、請求項６に記載の方法。
【請求項８】
再伝送に対する前記第２の上りリンクグラントが前記ＵＥに伝送されていない場合、および前記少なくとも１つの伝送ブロックの数が前記伝送ブロックの数と等しい場合、該少なくとも１つの伝送ブロックに対する前記ＲＳのリソースは、該伝送ブロックに対する該ＲＳのリソースと同じである、請求項６に記載の方法。
【請求項９】
前記サイクリックシフト値は、０から１１までの範囲にある、請求項７に記載の方法。
【請求項１０】
前記第１の上りリンクグラントおよび前記第２の上りリンクグラントは、物理下りリンク制御チャネル（ＰＤＣＣＨ）を通じて伝送され、前記ＡＣＫ／ＮＡＣＫ情報は、Ｐｈｙｓｉｃａｌ  Ｈｙｂｒｉｄ  ＡＲＱ  Ｉｎｄｉｃａｔｏｒ  ＣＨａｎｎｅｌ（ＰＨＩＣＨ）を通じて伝送される、請求項６に記載の方法。
【手続補正２】
【補正対象書類名】明細書
【補正対象項目名】００１５
【補正方法】変更
【補正の内容】
【００１５】
なお、上記の本発明の様相において、前記それぞれのレイヤに対応する参照信号のサイクリックシフト値が、前記サイクリックシフトフィールドによって指示されるサイクリックシフト初期値及びそれぞれのレイヤに対応する既に設定されたオフセット値で定義されることを特徴とする。
例えば、本発明は以下の項目を提供する。
（項目１）
多重アンテナ無線通信システムにおいて再伝送時に端末が参照信号を伝送する方法であって、
基地局から上りリンクグラントを受信することと、
前記上りリンクグラントに基づいて、それぞれのレイヤに対応する参照信号及びデータを初期伝送することと、
前記データのＡＣＫ（Ａｃｋｎｏｗｌｅｄｇｅｍｅｎｔ）／ＮＡＣＫ（Ｎｅｇａｔｉｖｅ−ＡＣＫ）情報を受信して、前記参照信号及びデータを再伝送することと、を含み、
前記再伝送することは、
前記上りリンクグラントに含まれた参照信号のためのサイクリックシフトフィールド（Ｃｙｃｌｉｃ  Ｓｈｉｆｔ  Ｆｉｅｌｄ）に基づいて、前記それぞれのレイヤに対応する参照信号のサイクリックシフト値（Ｃｙｃｌｉｃ  Ｓｈｉｆｔ  Ｖａｌｕｅ）を初期化することを含む、再伝送時の参照信号伝送方法。
（項目２）
前記再伝送することは、
前記上りリンクグラントに含まれた参照信号のためのサイクリックシフトフィールド（Ｃｙｃｌｉｃ  Ｓｈｉｆｔ  Ｆｉｅｌｄ）に基づいて、前記それぞれのレイヤに対応する参照信号のＯＣＣ（Ｏｒｔｈｏｇｏｎａｌ  Ｃｏｄｅ  Ｃｏｖｅｒ）値を初期化することを含む、項目１に記載の再伝送時の参照信号伝送方法。
（項目３）
前記それぞれのレイヤ（ｌａｙｅｒ）に対応する参照信号は、
それぞれの参照信号に割り当てられるサイクリックシフト値が最大の間隔を有することを特徴とする、項目１に記載の再伝送時の参照信号伝送方法。
（項目４）
前記サイクリックシフト値は、０乃至１１の値を有し、
前記サイクリックシフト値の最大の間隔は、６であることを特徴とする、項目１に記載の再伝送時の参照信号伝送方法。
（項目５）
前記それぞれのレイヤに対応する参照信号のサイクリックシフト値は、
前記サイクリックシフトフィールドによって指示されるサイクリックシフト初期値及びそれぞれのレイヤに対応する既に設定されたオフセット値で定義されることを特徴とする、項目１に記載の再伝送時の参照信号伝送方法。
（項目６）
多重アンテナ無線通信システムにおける端末装置であって、
基地局から上りリンクグラントを受信する受信モジュールと、
前記上りリンクグラントに基づいて、それぞれのレイヤ（ｌａｙｅｒ）に対応する参照信号及びデータを構成し、前記データのＡＣＫ（Ａｃｋｎｏｗｌｅｄｇｅｍｅｎｔ）／ＮＡＣＫ（Ｎｅｇａｔｉｖｅ−ＡＣＫ）情報に基づいて再伝送のための前記参照信号及びデータを構成するプロセッサと、
前記参照信号及びデータを前記基地局に伝送または再伝送する送信モジュールと、を備える、
前記プロセッサは、
前記上りリンクグラントに含まれた参照信号のためのサイクリックシフトフィールド（Ｃｙｃｌｉｃ  Ｓｈｉｆｔ  Ｆｉｅｌｄ）に基づいて、前記それぞれのレイヤに対応する参照信号のサイクリックシフト値（Ｃｙｃｌｉｃ  Ｓｈｉｆｔ  Ｖａｌｕｅ）を初期化することを特徴とする、端末装置。
（項目７）
前記プロセッサは、
前記上りリンクグラントに含まれた参照信号のためのサイクリックシフトフィールド（Ｃｙｃｌｉｃ  Ｓｈｉｆｔ  Ｆｉｅｌｄ）に基づいて、前記それぞれのレイヤに対応する参照信号のＯＣＣ（Ｏｒｔｈｏｇｏｎａｌ  Ｃｏｄｅ  Ｃｏｖｅｒ）値を初期化することを特徴とする、項目６に記載の端末装置。
（項目８）
前記それぞれのレイヤ（ｌａｙｅｒ）に対応する参照信号は、
それぞれの参照信号に割り当てられるサイクリックシフト値が最大の間隔を有することを特徴とする、項目６に記載の端末装置。
（項目９）
前記サイクリックシフト値は、０乃至１１の値を有し、
前記サイクリックシフト値の最大の間隔は、６であることを特徴とする、項目６に記載の端末装置。
（項目１０）
前記それぞれのレイヤに対応する参照信号のサイクリックシフト値は、
前記サイクリックシフトフィールドによって指示されるサイクリックシフト初期値及びそれぞれのレイヤに対応する既に設定されたオフセット値で定義されることを特徴とする、項目６に記載の端末装置。
【国際調査報告】
2013535857.tif 000128
2013535857.tif 000129